(57)【要約】【課題】求人・求職情報を匿名で行う際に、匿名情報の評価を可能とする。【解決手段】インターネット上に求人・求職情報専門サイトを開設すると共に、各種サイトにも同様な情報を提供するシステムを構築する。求人企業は、専門サイト上から求人情報を入力し、各種サイトにも求人情報を提供する。一方、求職者・資格取得希望者は、専門サイトおよび各種サイトから匿名の求職・応募情報を入力し、応募・面接等を行う。専門サイトにおいては、匿名の求職者・資格取得希望者が行った応募・面接等の履歴、および求人企業が行った各種通知等を自動集計して表示すると共に、各種サイトにも同様な情報を提供する。求人企業は、匿名の求職者・資格取得希望者を閲覧し、スキルを判断すると共に、前記集計情報を基に、匿名情報に対して評価することができる。さらに、個人情報に関するデータベースと、履歴書等のデータベースとの２種を持つことを特徴とする。【選択図】図１
2005332280.tif 000002
【特許請求の範囲】
【請求項１】
ネットワークに接続されたサーバにより、求人・求職情報専門サイトを開設し、
サーバには、インターフェース、制御システムおよびデータベースを設け、
インターフェースは、ネットワークに開放され、パーソナルコンピュータ、携帯端末等で閲覧可能なＷｅｂページからなり、
Ｗｅｂページには、求人・求職情報、キャリアアップ・スキルアップ情報等の必要な情報を掲載すると共に、各種登録ボタン等を設け、
求人企業は、求人・求職情報専門サイト上から求人情報を提供し、
求職者・資格取得希望者は、求人・求職情報専門サイト上から匿名の求職・資格取得情報を入力し、条件に合う求人・資格取得情報が見つかったら、応募システムを活用して、匿名で求人企業に応募・面接することができ、
求人・求職情報専門サイトにおいては、求職者・資格取得希望者が行った応募・面接等の履歴、および求人企業が行った各種通知等を自動集計して表示し、
求人企業は、匿名の求職者・資格取得希望者を閲覧し、スキルを評価すると共に、前記集計情報を基に、匿名の求職者・資格取得希望者に対する匿名情報に対して評価することができることを特徴とするネットワークを利用した求人・求職情報およびそれに関連した情報の提供における匿名情報の評価システム。
【請求項２】
ネットワークに接続されたサーバにより、求人・求職情報専門サイトを開設し、
サーバには、インターフェース、制御システムおよびデータベースを設け、
インターフェースは、ネットワークに開放され、パーソナルコンピュータ、携帯端末等で閲覧可能なＷｅｂページからなり、
Ｗｅｂページには、求人・求職情報、キャリアアップ・スキルアップ情報等の必要な情報を掲載すると共に、各種登録ボタン等を設け、
一方、各種のサイトには、前記制御システムが、サーバのインターフェースに掲載された情報を掲載することにより、サーバと同じ情報が提供されるものであり、
求人企業は、求人・求職情報専門サイト上から求人情報を入力すると共に、各種サイトにも求人情報を提供し、
求職者・資格取得希望者は、求人・求職情報専門サイトおよび各種サイトから匿名の求職・資格取得情報を入力し、条件に合う求人・資格取得情報が見つかったら、応募システムを利用して、匿名で求人企業に応募・面接することができ、
求人・求職情報専門サイトにおいては、求職者・資格取得希望者が行った応募・面接等の履歴、および求人企業が行った各種通知等を自動集計して表示すると共に、各種サイトにも表示し、
求人企業は、匿名の求職者・資格取得希望者を閲覧し、スキルを評価すると共に、前記集計情報を基に、匿名の求職者・資格取得希望者に対する匿名情報に対して評価することができることを特徴とするネットワークを利用した求人・求職情報およびそれに関連した情報の提供における匿名情報の評価システム。
【請求項３】
請求項１，及び請求項２において、求人企業は、匿名の求職者・資格取得希望者を閲覧し、スキルを評価すると共に、前記集計情報を基に、匿名の求職者・資格取得希望者に対する匿名情報に対して評価することにより、スカウトメールを送ることができ、
求人・求職情報専門サイトにおいては、求職者・資格取得希望者が行った応募・面接等の履歴、および求人企業が行った各種通知等を自動集計して表示することにより、
匿名の求職者・資格取得希望者に対する匿名情報に対して更に評価することができることを特徴とするネットワークを利用した求人・求職情報およびそれに関連した情報の提供における匿名情報の評価システム。
【請求項４】
請求項１、請求項２、および請求項３において、求人・求職情報専門サイトのデータベースは、求職者・資格取得希望者の個人情報および個人情報に関するＩＤ、パスワード、メールアドレスデータベースと、求職者・資格取得希望者の履歴書、職務経歴書、希望情報およびこれらについて、個人情報に関するＩＤ、パスワードと異なるＩＤ、パスワードデータベースとの２つのデータベースを設けたことを特徴とするネットワークを利用した求人・求職情報およびそれに関連した情報の提供における匿名情報の評価システム。
【発明の詳細な説明】
【技術分野】
【０００１】
本発明は、インターネット等のネットワークを利用して、求人・求職情報およびそれに関連した情報の提供における匿名情報の評価システムに関するものである。
【背景技術】
【０００２】
従来、一般会社は人材確保のために、紙媒体である新聞等への求人広告の掲載、求人情報誌等への求人広告掲載等により求職者へ求人情報を提供するなどの手法を行ってきた。  また、近年発展してきたインターネット上に自社サイトを開設し、その中に求人情報を掲載し、求職者へ求人情報を提供する手法も行われてきた。その求人情報提供の仕組みは、自社サイトに求人情報を掲載し、求職者はインターネットを通じて、その求人情報を閲覧することにより求人情報を得て、電話・Ｅ−ｍａｉｌ等で応募を行うものである。一般会社はこの応募者に対して書類選考・面接等を行い、採用を決定する。このサービスは、自社で行っているため、掲載自体は、無料である。
【０００３】
さらに人材紹介会社等を利用した人材紹介を受ける手法も行われてきた。これらに加えて、正社員としての雇用だけでなく、人材派遣会社から人材を派遣してもらう派遣社員の採用も行ってきた。
人材紹介会社等を利用した人材紹介の仕組みは、有料・無料職業紹介事業の認可を受けている企業が新聞・求人情報誌等に登録告知広告を掲載することで登録募集を行い、書類選考・面接の上、求職者の登録を行う。この登録者の中から求人企業が求める登録者（求職者）を選択し、求人企業に紹介を行うものである。このサービスの対価は人材紹介を行ったことに対するものであり、紹介者の年収２０〜３０％（一般的数値）となる。さらに、特定の人またはそれに見合う人を探し、求人企業への入社をすすめるスカウト形式もある。人材紹介会社も、インターネット上にサイトを開設し、人材紹介情報、人材紹介登録情報を提供し、登録者（求職者）を集める手段も出てきた。
人材派遣会社を利用した派遣社員採用の仕組みは、人材派遣業の認可を受けている企業が、新聞・求人情報誌に登録告知広告を掲載することで登録募集を行い、書類選考、面接の上、求職者の登録を行う。この登録者の中から求人企業が求める登録者を選択し、求人企業へ派遣するものである。そのサービスの対価は、人材を派遣したことに対するものである。また、人材派遣会社がインターネット上にサイトを開設し、人材派遣情報、人材派遣登録情報を提供することで、登録者を集める手段も出てきた。
【０００４】
一方、高等学校・短期大学・四年制大学・専門学校・スクール等の教育関連企業は、生徒募集のために、紙媒体である教育関連企業の生徒募集情報を掲載する雑誌へ生徒募集広告を掲載することにより資格取得希望者へ生徒募集情報を提供するなどの手法を行ってきた。また、看板等への生徒募集広告掲載による生徒募集情報の提供、テレビ・ラジオ等のマスメディアへのＣＭ等による生徒募集情報の提供なども行われてきた。さらにインターネット上に自社サイトを開設し、その中に生徒募集情報を掲載することで生徒募集情報の提供が行われてきた。
生徒募集手段の具体的仕組みは、次のようになる。
専門学校・スクールなど教育関連企業の生徒募集情報を掲載する雑誌への生徒募集広告掲載による生徒募集情報提供の仕組みは、出版社が発行する生徒募集専門の雑誌に生徒募集広告を掲載し、出版社独自のルートまたは本の流通業者を経由し、書店等にてこの雑誌を有料または無料で販売、配布、資格取得希望者がこの雑誌を入手することにより生徒募集情報を得て教育関連企業へ電話等で入学資料請求または入学申込を行うものである。
看板等への生徒募集広告掲載による生徒募集情報提供の仕組みは、駅・道路・ビル屋上等にある看板に生徒募集広告を掲載し、資格取得希望者がこの看板等を見ることにより生徒募集情報を得て、教育関連企業へ資料請求または申込を行うものである。
テレビ・ラジオ等のマスメディアへのＣＭ等による生徒募集情報提供の仕組みは、マスメディアという媒体に生徒募集のＣＭを流し、資格取得希望者がこのＣＭ等を見ることにより生徒募集情報を得て、教育関連企業へ入学資料請求または入学申込を行うものである。
近年、教育関連企業はインターネット上に自社サイトを開設し、その中に生徒募集情報を掲載し、情報提供を行うようになってきたが、その生徒募集情報提供の仕組みは、教育関連企業が開設している自社サイトに生徒募集情報等を掲載、資格取得希望者はインターネットを通じて生徒募集情報等を閲覧することにより生徒募集情報を得て、教育関連企業へ電話・Ｅ−ｍａｉｌ等で入学資料請求または入学申込を行うものである。
【０００５】
しかし、従来の人材採用手段には次の欠点がある。
新聞への求人広告掲載による求人情報提供は、新聞を購入する人を対象としており、ターゲットが絞りにくいという欠点がある。新聞へ折り込むチラシと同様である。求人情報誌への求人広告掲載による求人情報提供は、求職者が情報を得るために書店等にて求人情報誌を購入しなければならず、非常に手間がかかる欠点がある。また、雑誌は求職者のみが購入するため、キャリアアップを検討しているような潜在求職者に求人情報を提供することができない欠点もある。
近年行われるようになった自社サイトへの求人情報掲載による求人情報提供は、サイトが無数にある現状の中で、ただ単に開設するだけではサイトをいちいち探さなければならないために見てもらう可能性は低く、そのためにそのサイト内に求人情報を掲載しても求職者に見てもらう可能性は低くなってしまう欠点がある。
人材紹介会社等を利用した人材紹介、人材派遣会社を利用した派遣社員の採用は、当該会社が登録者（求職者）を集めるために新聞・求人情報誌等に登録募集広告を掲載し、登録者の募集を行っているため、前述の新聞・求人情報誌等と同様の欠点がある。当該会社がインターネット上にサイトを開設する場合も、求人企業が自社サイト上に求人情報を掲載するのと同様の欠点がある。
また、従来の生徒募集手段は次の欠点がある。生徒募集広告を掲載する雑誌に生徒募集広告を掲載することによる生徒募集情報提供は、資格取得希望者が情報を得るために書店等にて雑誌を購入しなければならず、非常に手間がかかる欠点がある。また、雑誌は資格取得希望者のみが購入するため、スキルアップを検討しているような潜在資格取得希望者に生徒募集情報を提供することができない欠点がある。
また、看板等への生徒募集広告掲載による生徒募集情報提供、テレビ・ラジオ等のマスメディアへのＣＭ等による生徒募集情報提供は、告知したいターゲットが絞りにくく費用対効果が非常に低い。従って高コストになってしまう欠点がある。
近年行われるようになった自社サイトでの生徒募集情報提供は、サイトが無数にある現状の中で、ただ単に開設するだけではサイトをいちいち探さなければならないために見てもらう可能性は低く、そのためにそのサイト内に生徒募集情報を掲載しても資格取得希望者に見てもらえる可能性は非常に低くなってしまう欠点がある。
【０００６】
前記の欠点を改善するために、人材採用手段としてインターネット上に求人・求職情報専門のサイトを開設して求人情報を提供、また人材紹介会社、人材派遣会社も同サイトに人材紹介情報、人材派遣情報を掲載して情報を提供する仕組みができた。
この求人情報専門のサイト開設による求人情報提供の仕組みは、企業の求人広告をサイト内で掲載して求人情報を提供、求職者がこのサイトを閲覧することにより求人情報を得てサイト内にある応募フォームに入力するなどして、Ｅ−ｍａｉｌ等で企業に応募を行うものである。企業はこの応募者に対して書類選考・面接等を行い、採用を決定する。これにより、新聞・求人情報誌の欠点である書店等にて雑誌等を購入しなければならないという問題点を、インターネットが接続される端末があればいつでもどこでも求人情報を得ることができることで解決している。また、企業の自社サイト内に掲載されている求人情報をいちいち探さなければならないという問題点を、専門サイトを開設することにより１つのサイトを見れば多数の求人情報が得られることで改善している。
人材紹介会社、人材派遣会社は、新聞・求人情報誌の欠点である書店等にて新聞、雑誌を購入しなければならないという問題点を解決している。また、自社で人材紹介情報、人材派遣情報、登録情報をインターネット上でいちいち探さなければならないという問題を改善している。
【０００７】
また、生徒募集手段としてインターネット上に生徒募集情報専門のサイトを開設し、生徒募集情報を提供する仕組みができた。
生徒募集専門のサイト開設による生徒募集情報提供の仕組みは、教育関連企業の生徒募集広告をサイト内で掲載し、生徒募集情報を提供、教育関連企業に入学資料請求・入学申込を行うものである。これにより、雑誌への生徒募集広告掲載による生徒募集情報提供の欠点である書店等にて雑誌を購入しなければならないという問題を、インターネットが接続される端末があればいつでもどこでも生徒募集情報を得ることができることにより解決している。
また、教育関連企業の自社サイト内に掲載される生徒募集情報をいちいち探さなければならないという問題点を、専門サイトを開設することにより１つのサイトを見れば多数企業の生徒募集情報が得られることで改善している。
【０００８】
しかし、各専門サイトには次の欠点がある。求人・求職情報専門サイトでは、これらのサイトが多数開設されるにつれて競争が激化し始め、求人・求職情報専門サイトといえども求職者を集めて、応募してもらわなければならないという欠点がある。
また、生徒募集情報専門サイトでは、求人・求職情報専門サイトと同様に、生徒募集情報専門のサイトが多数開設されるにつれ、競争が激化し始め、生徒募集情報専門サイトといえども資格取得希望者を集めて、資料請求、又は入校申込ををしてもらわなければならないという欠点がある。
【０００９】
これらの欠点を改善するために、求人・求職情報専門サイトでは、求人情報サイト運営会社が、自社の求人情報サイトでの情報提供に加え、ポータルサイト、ニュースサイトなどの非常に来場者の多いサイトへ求人情報を提供することで、より多くの求職者に情報提供し、応募を促進させる手段が出てきた。同時に、求人・求職情報専門サイトにおいて、求職者のメールアドレスを収集し、Ｅ−ｍａｉｌにて求人情報を提供したり、事前に履歴書、職務経歴書を登録してもらい、履歴書、職務経歴書などの情報を使って求職者によりマッチした求人情報を提供する仕組みが出てきた。
また、生徒募集情報専門サイトでは、生徒募集情報サイト運営会社が、自社の生徒募集情報サイトでの情報提供に加え、ポータルサイト、ニュースサイトなどの非常に来場者の多いサイトへ生徒募集情報を提供することで、より多くの資格取得希望者に情報提供し、資料請求、受講応募、お問合せ等を促進させる手段が出てきた。同時に、生徒募集情報専門サイトにて、資格取得希望者のメールアドレスを収集して、Ｅ−ｍａｉｌにて生徒募集情報を提供したり、事前に取得を考えている資格や受講したい講座、履歴書、職務経歴書などを登録してもらい、取得を考えている資格や受講したい講座、履歴書、職務経歴書などの情報を使って資格取得希望者によりマッチした生徒募集情報を提供する仕組みが出てきた。
【００１０】
しかし、上記の改善手段にも次の欠点がある。
求人・求職情報専門サイトは、求職者が応募するには、履歴書、職務経歴書等の個人情報を開示しなければならない。そのために、在職中の人は転職活動をしているということが現在在籍の会社に漏れてしまう可能性がある。
また、インターネットで行っている以上、どんなにセキュリティーを万全にしても、完全に個人情報が漏洩しない保証はないし、風説で転職活動をしていることが漏洩してしまう可能性も否定できないという欠点がある。
【００１１】
前記の求人・求職情報専門サイトに関する問題点の改善策として、求職者は、名前、住所などの個人情報と履歴書、職務経歴書を登録するが、求人企業には個人情報が明かされずに匿名で企業に応募することができる。また、求人企業は求職情報を見る際に匿名のまま、履歴書、職務経歴書を閲覧し、応募を促す仕組みが提案されている。
【特許文献１】特開平１０−２３２８９３号
【特許文献２】特開２０００−５７２１３号
【００１２】
また、求職者は、名前、住所などの個人情報、履歴書、職務経歴書を登録すると同時に、サイトに用意されている適性診断テストをインターネット上で任意に実施し、その結果を登録する。求職者は、求人企業へ応募する際、個人情報が明かされずに匿名で応募でき、求人企業は、履歴書、職務経歴書で判断すると同時に、適正診断テストの結果でもその応募者を評価できる。また、求人企業は求職情報を見る際に匿名のまま、履歴書、職務経歴書を閲覧すると同時に、適正診断テストの結果を見て、応募を促す仕組みが提案されている。
【特許文献３】特開２００１−３５７１２４号
【００１３】
しかしながら、前記の仕組みも、求職者の場合は、匿名である以上、その求職者の情報が正しいのか、また実態を伴った人なのかはっきりしない欠点がある。そもそも、インターネットで応募すること自体が、インターネットの特性上、実態を伴っていないため、本人かどうか、また応募してきた情報が正確なものかどうかは、応募の時点では把握できない欠点がある。それを補うために、面接を行うが、不透明なため、応募した人が必ずしも面接にくるとは限らない。さらに、面接の際にも、登録してきた個人情報、履歴書、職務経歴書の内容を再度確認しなければならず、これが大きなロスを生み、コスト高になっている。
【００１４】
一方、生徒募集情報専門サイトは、個人情報を入力して資料請求、受講応募、問い合わせをするという個人情報を開示する仕組みであるために、資格取得希望者は資格取得のための活動をしているということが第三者に漏れてしまう可能性があるという欠点がある。また、インターネットで行っている以上、どんなにセキュリティーを万全にしても、完全に個人情報が漏洩しない保証はないし、風説で資格取得のための活動をしているということが漏洩してしまう可能性も否定できないという欠点がある。
たとえ、匿名で資料請求、受講応募したとしても、匿名である以上、その資格取得希望者の情報が正しいのか、また実態を伴った人なのかはっきりしない欠点がある。それを補うために、電話等で確認したり、再度申し込みをもらったりするが、不透明なため、資料請求、受講応募した人に必ず連絡がとれたり、受講したりするとは限らず、大きなロスを生み、コスト高になってしまっている。
【００１５】
ところで、転職情報専門サイトにおいて、転職希望者がキャリアシート（職務経歴書）を登録し、そのキャリアシートを匿名で公開し、人材紹介会社からのアプローチを待ち、この情報に対して人材紹介会社に所属する転職アドバイザー（人材紹介会社のコンサルタント）が、このキャリアシートのデータを元に、転職に役立つ情報や、彼らが保有する企業からの求人情報から求められる人材を探し、該当者にスカウトメール（メッセージ）を送付し、メッセージを受け取った転職希望者は、その中から自分の希望に合った転職アドバイザーを選び、相談するシステムにおいて、平成１６年３月に、匿名の転職希望者に対して、人材紹介会社からのスカウトメールを通信数として表示するというサービスを始めた。
【非特許文献１】ＵＲＬ  ：  https://www.ecareerfa.jp
【００１６】
本願出願人は、ネットワークに接続され、求人・求職情報専門サイトとなるサーバと、ネットワークに接続された各種のサイトとからなり、サーバには、インターフェース、制御システム及び各種データベースが格納され、インターフェースは、パソコン・携帯端末で閲覧可能であり、制御システムは、データベースを通じてインターフェースに求人・求職情報及びそれに関連した情報を常に更新して提供し、一方、サイトには、制御システムがサーバのインターフェースで提供される情報と同等の表示項目を提供することにより、ネットワークに開放されたインターフェースをサーバだけでなく各種のサイトにも設けたことを特徴とする全体システムを使用した求人・求職情報の提供システムを出願した。
【特許文献４】特願２００４−１３４９２７号
【発明の開示】
【発明が解決しようとする課題】
【００１７】
本発明においては、一般会社、人材紹介会社、人材派遣会社、および高等学校・短期大学・四年制大学・専門学校・スクール等の教育関連企業は、以下、一括して求人企業という。
本発明が解決しようとする第一の課題は、求人・求職情報専門サイトを利用して、求職者が匿名で応募してきた際、その者が実在するのか、また個人情報、履歴書、職務経歴書等の情報は正確なのか等を、いかに評価できるかが課題である。
【００１８】
本発明が解決しようとする第二の課題は、求人・求職情報専門サイトを利用して、求人企業が求職情報を閲覧して指名する際、その者が実在するのか、また個人情報、履歴書、職務経歴書等の情報は正確なのか等を、いかに評価できるかが課題である。
【００１９】
本発明が解決しようとする第三の課題は、求人・求職情報専門サイトを利用して、教育関連企業が、匿名の応募者からの資料請求、受講応募、問い合わせに対して、その匿名の応募者が実在する資格取得希望者なのか、個人情報、履歴書、職務経歴書等の情報が正確なのか等を、いかに評価できるかが課題である。
【００２０】
本発明が解決しようとする第四の課題は、求人・求職情報専門サイトを利用して、教育関連企業が、公開された匿名の資格取得希望者を閲覧し、希望する資格取得希望者が見つかった際に、その資格取得希望者が実在する資格取得希望者なのか、個人情報、履歴書、職務経歴書等が正確なのか等を、いかに評価できるかが課題である。
【００２１】
本発明が解決しようとする第五の課題は、求職者・資格取得希望者が個人情報の漏洩を心配することなく、求人企業への応募、資料請求、受講申込を行うことができるかが課題である。
【課題を解決するための手段】
【００２２】
インターネット等のネットワーク上に求人・求職情報専門サイトを開設し、求人企業が、サイト上から企業情報、募集情報、セミナー情報などの求人情報を入力することにより、データベースに蓄積し、求人情報を提供する。一方、求職者は、サイト上から履歴書、職務経歴書、その他採用に必要な情報などの求職情報を入力することにより、データベースに蓄積し、求人・求職情報専門サイト上に匿名で求職情報を公開する。そして、求職者は求人・求職情報専門サイトにて求人情報を閲覧し、条件に合う求人情報が見つかったら、応募システムを利用して、既に入力されている履歴書、職務経歴書等を匿名で求人企業に応募する。
求人・求職情報専門サイトにおいては、求職者・資格取得希望者が行った応募・面接等の履歴、および求人企業が行った各種通知等を自動集計して表示する。
求人企業は、匿名の求職者の履歴書、職務経歴書等を閲覧し、スキルを判断すると共に、前記集計情報を基に、匿名の求職者・資格取得希望者に対する匿名情報に対して評価できるシステムを特徴としている。
【００２３】
また、求人企業は、匿名の求職情報を閲覧し、スキルを判断すると共に、前記集計情報を基に、匿名の求職者・資格取得希望者に対する匿名情報に対して評価でき、指名することができるシステムを特徴としている。
【００２４】
インターネット等のネットワーク上に求人・求職情報専門サイトを開設し、その中に生徒募集情報の専門部門を設け、教育関連企業が、サイト上から企業情報、講座情報、模擬試験情報などの生徒募集情報を入力することにより、データベースに蓄積し、生徒募集情報専門部門に情報提供する。一方、求職者および資格取得希望者は、サイト上から履歴書、職務経歴書、取得したい資格、受講したい講座、その他受講に必要な情報などの資格取得希望者情報を入力することで、データベースに蓄積する。求職者および資格取得希望者は、生徒募集情報専門部門にて生徒募集情報を閲覧し、条件に合う生徒募集情報が見つかったら、資料請求、受講応募、問い合わせシステムを利用して、既に入力されている履歴書、職務経歴書等を匿名で教育関連企業に送信する。教育関連企業は、匿名の資格取得希望者からの資料請求、受講応募、問い合わせ等を閲覧し、スキルを判断すると共に、以前に教育関連企業等がこの匿名の資格取得希望者に対して行った評価情報をサーバ上で自動集計して、その集計情報を基に、教育関連企業が匿名という情報の対して評価することができるシステムを特徴としている。
また、教育関連企業は、匿名の求職者・資格取得希望者情報を閲覧し、スキルを判断すると共に、以前に他の教育関連企業が、この匿名の求職者・資格取得希望者に対して行った評価情報をサーバ上で自動集計して、その集計情報を基に、教育関連企業が匿名情報に対して評価できるシステムを特徴としている。
【発明の効果】
【００２５】
本発明のシステムは、匿名のままで求人企業に応募・面接することができ、その履歴、および求人企業が行った各種通知等を求人・求職情報専門サイトにおいて自動集計して表示するシステムであるので、求人企業は、前記集計情報を基に、求職者・資格取得希望者が匿名というマスキング情報に対して評価することができるために、（１）匿名の求職者・資格取得希望者に対する信用度が増加する、（２）求人企業は、信用度の増加した匿名の応募者に対して、安心して選考や面接等を行うことができる、（３）求職者・資格取得希望者は個人情報の漏洩を心配することなく、応募、資料請求、受講申込をすることができる。
【発明を実施するための最良の形態】
【００２６】
本発明の全体システムは、図１に図示したとおりのものである。
先ず、求人・求職情報専門サイトとなるサーバ１には、インターフェース２および制御システム３を設け、さらにデータベース４を格納する。
インターフェース２は、パーソナルコンピュータ（以下、パソコンという。）で閲覧可能なインターフェースＡ１と、携帯端末・ＰＨＳ・ＰＤＡ等で閲覧可能なインターフェースＡ２とからなり、これらのインターフェース２は、ネットワーク５に開放されて閲覧できるＷｅｂページとなる。
Ｗｅｂページには、求人・求職情報、人材紹介情報、人材派遣情報、生徒募集情報、模擬試験および関連情報、Ｗｅｂ  Ｂａｓｅｄ  Ｔｒａｉｎｉｎｇを含むＥラーニング情報、キャリアアップ・スキルアップ情報等の必要な情報を掲載すると共に、各種登録ボタンが設けられている。
これらのＷｅｂページは、ホームページビルダー（ＩＢＭの登録商標）やゴーライブ（アドビの登録商標）等の公知のホームページ作成ソフトや任意のＨＴＭＬエディターでｈｔｍｌファイルとして作成する。また、ドリームウェーバー（マクロメディアの登録商標）やスタイルシートエディター等の公知のプログラムでＸＳＬＴ（ＸＭＬ  Ｓｔｙｌｅｓｈｅｅｔ  Ｌａｎｇｕａｇｅ  Ｔｒａｎｓｆｏｒｍ）ファイル（スタイルシート）を作成する。これらのファイルは、サーバ１に格納する。
【００２７】
制御システム３は、求職者・資格取得希望者機能制御システムＢ１、求人企業機能制御システムＢ２、各種サイトへの募集情報・講座情報・セミナー情報・模擬試験情報等の提供制御システムＢ３、売上制御システムＢ４、応募ポイント制御システムＢ５、利用者各種履歴制御システムＢ６、自社サイト用ページジェネレーターＢ７、面接前と面接後の求職者・資格取得希望者と求人企業双方の評価管理制御システムＢ８等からなる。
【００２８】
データベース４は、求職者・資格取得希望者の個人情報および個人情報に関するＩＤ、パスワード、メールアドレスデータベースＤ１、求職者・資格取得希望者の履歴書、職務経歴書、希望情報およびそれらについて個人情報に関するＩＤ、パスワードと異なるＩＤ、パスワードデータベースＤ２、求人企業ＩＤ、パスワード、メールアドレスデータベースＤ３、求人企業情報データベースＤ４、募集情報、希望情報データベースＤ５、講座情報、希望情報データベースＤ６、利用者各種履歴データベースＤ７、売上データベースＤ８、応募ポイントデータベースＤ９、面接前と面接後の求職者・資格取得希望者と求人企業双方の評価データベースＤ１０等を設ける。
以上のシステム構築は、システム担当者Ｅ１がサーバ１を直接操作して、あるいは、サーバ１に接続されたパソコンＰＣ１から行う。
【実施例１】
【００２９】
本発明の全体システムは、前記した図１に図示したとおりのものである。
先ず、求人・求職情報専門サイトとなるサーバ１には、インターフェース２および制御システム３、およびデータベース４を設ける。
インターフェース２は、パソコンで閲覧可能なインターフェースＡ１と、携帯端末・ＰＨＳ・ＰＤＡ等で閲覧可能なインターフェースＡ２とからなり、これらのインターフェース２は、ネットワーク５に開放されて閲覧できるＷｅｂページからなる。
インターフェース２であるＷｅｂページには、企業情報登録ボタン、各種情報登録ボタン、各種サイト掲載ボタン、サーバ１への掲載ボタン、求職者・資格取得希望者のＩＤ、パスワード、メールアドレス登録ボタン、履歴書、職務経歴書応募・登録ボタンが設けられる。
パソコンで閲覧可能なインターフェースＡ１のトップ画面例を図２に示す。
制御システム３は、求職者・資格取得希望者機能制御システムＢ１、求人企業機能制御システムＢ２、各種サイトへの募集情報・講座情報・セミナー情報・模擬試験情報等の提供制御システムＢ３、売上制御システムＢ４、応募ポイント制御システムＢ５、利用者各種履歴制御システムＢ６、各種サイト用ページジェネレーターＢ７、面接前と面接後の求職者・資格取得希望者と求人企業双方からの評価管理制御システムＢ８からなる。
データベース４は、求職者・資格取得希望者の個人情報および個人情報に関するＩＤ、パスワード、メールアドレスデータベースＤ１、求職者・資格取得希望者の履歴書、職務経歴書、希望情報およびこれらについての個人情報のＩＤ、パスワードと異なるＩＤ、パスワードデータベースＤ２、求人企業ＩＤ、パスワード、メールアドレスデータベースＤ３、求人企業情報データベースＤ４、募集情報、希望情報データベースＤ５、講座情報、希望情報データベースＤ６、利用者各種履歴データベースＤ７、売上データベースＤ８、応募ポイントデータベースＤ９、面接前と面接後の求職者・資格取得希望者と求人企業双方の評価データベースＤ１０からなる。
制御システム３は、募集情報・講座情報・セミナー情報・模擬試験情報、その他情報の登録を受け付けると同時にデータベース４に蓄積し、インターフェース２であるＷｅｂページに常に更新して提供されるものである。
一方、求人企業は、ネットワーク５を介して、インターフェースＡ１においてログインすることにより、求人企業向けマイページが表示される。求人企業用マイページの画面例を図３に示す。
さらに、各種サイト用ページジェネレーターＢ７が、各種サイト専門の募集情報・講座情報・セミナー情報・模擬試験情報等を掲載するファイル（ファイル１）を自動作成し、サーバ１に保存し、また、サーバ１に接続し、募集情報・講座情報・セミナー情報・模擬試験情報等を提供するプログラムが書き込まれているファイル（ファイル２）を自動作成する。１つ目は、各種サイトからリンクさせることにより、２つ目はそのファイルを各種サイトに保存することにより、各種サイトにも情報提供するものである。
【実施例２】
【００３０】
次いで、実施例２は、実施例１の全体システムを使用して、求人企業は、ネットワーク５を介して、インターフェース２にアクセスし、企業情報、募集情報、講座情報、セミナー情報、模擬試験情報等を登録し、さらに、その他の掲載したい情報が登録でき、サーバ１のインターフェース２にてこれら情報を提供する。
また、求職者・資格取得希望者は、ネットワーク５を介して、インターフェース２にアクセスし、履歴書・職務経歴書等を登録し、任意でサーバ１のインターフェース２にてこの情報を提供する。また、個人情報も任意で登録する。
求職者・資格取得希望者は、募集情報、講座情報、セミナー情報、模擬試験情報を閲覧して、匿名又は実名で応募、または資料請求などすることができ、募集情報、講座情報、セミナー情報、模擬試験情報を提供する求人企業の、求職者・資格取得希望者から見た評価情報を、また求人企業は、求職者・資格取得希望者から応募、資料請求がきたとき、求職者の求人企業からみた評価情報を提供する。
これにより、求職者・資格取得希望者は、実名のみならず匿名で応募または資料請求することができることで、情報漏洩等の心配をすることなく、応募または資料請求することができ、さらに、求人企業は、匿名応募・資料請求の求職者・資格取得希望者でも、評価情報を閲覧することで、実在の応募・資料請求者か、本当に採用活動・学校選択をしている応募・資料請求者なのかが判断できるものである。
【００３１】
その工程は、以下のとおりである。
（１）求職者・資格取得希望者は、ＰＣＡ〜Ｄを利用し、ネットワーク５を介してサーバ１のインターフェース２のパソコンで閲覧可能なインターフェースＡ１、あるいは携帯端末で閲覧可能なインターフェースＡ２にアクセスして、ログインに必要ページにＩＤ、パスワード、メールアドレスを入力し、求職者・資格取得希望者のＩＤ、パスワード、メールアドレス登録ボタンをクリックする。すると、求職者・資格取得希望者機能制御システムＢ１が作動し、求職者・資格取得希望者の履歴書、職務経歴書、希望情報およびこれらについて個人情報のＩＤ、パスワードと異なるＩＤ、パスワードデータベースＤ２に保存される。
次に、エントリーフォームが開き、このページに履歴書・職務経歴書等を入力、確認ボタンをクリックすると、求職者・資格取得希望者機能制御システムＢ１が作動し、確認画面が開き、内容を確認する。そして、サーバ１に入力した履歴書、職務経歴書の中でＷｅｂに公開する項目にチェックを入れ、履歴書・職務経歴書保存ボタンをクリックする。
すると、求職者・資格取得希望者の履歴書、職務経歴書、希望情報およびこれらについて個人情報のＩＤ、パスワードと異なるＩＤ、パスワードデータベースＤ２に保存され、マイページが登録される。
次に、個人情報を登録する場合は、登録ボタンをクリックすると、ログイン必要ページが開き、前述の履歴書、職務経歴書を入力する際に登録したＩＤ、パスワードと異なるＩＤ、パスワードを入力する。
そして、フォームに個人情報を入力し、保存ボタンをクリックする。すると、求職者・資格取得希望者の個人情報および個人情報に関するＩＤ、パスワード、メールアドレスデータベースＤ１に保存する。
以上の手順で、求職者・資格取得希望者が、履歴書・職務経歴書と個人情報を登録するフローチャートを図４、図５に示す。
（２）求人企業は、ＰＣＦを利用し、ネットワーク５を介して、インターフェース２のパソコンで閲覧可能なインターフェースＡ１にアクセスし、「法人のお客様へ」というボタンをクリックする。すると求人企業機能制御システムＢ２が作動し、募集社会員登録ページが開く。
そして、企業情報、管理者情報を入力、企業情報登録ボタンをクリックすると求人企業機能制御システムＢ２が作動し、求人企業ＩＤ、パスワード、メールアドレスデータベースＤ３、求人企業情報データベースＤ４に保存され、企業毎にＩＤ、パスワードが発行され、マイページが登録される。
求人企業は、インターフェース２のパソコンで閲覧可能なインターフェースＡ１に、発行されたＩＤ・パスワードを入力し、ログインボタンをクリックするとマイページが開く。そして、募集情報・講座情報・セミナー情報・模擬試験情報等を入力し、各種情報登録ボタンをクリックすると求人企業機能制御システムＢ２が作動し、募集情報、希望情報データベースＤ５、講座情報、希望情報データベースＤ６に保存される。
次に、インターフェース２のパソコンで閲覧可能なインターフェースＡ１、あるいは携帯端末で閲覧可能なインターフェースＡ２に提供したい情報を選択し、確定ボタンをクリックする。すると、枠購入ページが開き、「枠購入による広告掲載」を選択して、サーバ１への掲載ボタンをクリックすると、募集情報、希望情報データベースＤ５、講座情報、希望情報データベースＤ６に保存されると同時に、インターフェース２に情報提供される。
以上の手順で、求人企業が、募集情報・講座情報・セミナー情報・模擬試験情報を登録するフローチャートを図６、図７、図８、図９に示す。
【００３２】
（３）次いで、面接前と面接後の求職者・資格取得希望者と求人企業双方の評価管理制御システムＢ８が作動し、面接前と面接後の求職者・資格取得希望者と求人企業双方の評価データベースＤ１０に接続する。
次に求人企業ごとに各シーケンスと各ステータスの評価点数を集計する。その結果として、求職者・資格取得希望者の求人企業評価情報表１を出力する。
以上の手順で、求職者・資格取得希望者の求人企業評価情報の出力フローチャートを図１０に示す。
（４）次いで、面接前と面接後の求職者・資格取得希望者と求人企業双方の評価管理制御システムＢ８が作動し、面接前と面接後の求職者・資格取得希望者と求人企業双方の評価データベースＤ１０に接続する。次に求職者・資格取得希望者ごとに各シーケンスと各ステータスの評価点数を集計する。
その結果として、求人企業の求職者・資格取得希望者評価情報表２を出力する。
以上の手順で、求人企業の求職者・資格取得希望者評価情報の出力フローチャートを図１１に示す。
【実施例３】
【００３３】
次いで、実施例３は、実施例１及び実施例２の全体システムを利用して、求職者・資格取得希望者が、ネットワーク５を介して、インターフェース２のパソコンで閲覧可能なインターフェースＡ１、あるいは携帯端末で閲覧可能なインターフェースＡ２にアクセスし、募集情報、講座情報、セミナー情報、模擬試験情報等を閲覧、求職者・資格取得希望者の求人企業評価情報を見て匿名または実名で応募・資料請求する。
求人企業は、その応募・資料請求を閲覧し、求人企業の求職者・資格取得希望者評価情報を見て面接を実施、何回かの面接を経て内定、入社に至るまでの過程を示す。
さらに、匿名で応募・資料請求した求職者・資格取得希望者は、上記のどのプロセスでも実名を明かせるものである。
その工程は、以下のとおりである。
（１）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックするとマイページが開き、募集情報、講座情報、セミナー情報、模擬試験情報等を閲覧する。
この情報を閲覧して、求職者・資格取得希望者の企業評価情報を見たいときは、ＹＥＳボタンをクリックすると、求職者・資格取得希望者の企業評価情報表１を表示する。
その結果、応募・資料請求するときは、履歴書、職務経歴書応募・登録ボタンをクリックする。すると、求職者・資格取得希望者履歴書、職務経歴書、希望情報データベースＤ２に接続し、応募ページに履歴書・職務経歴書を表示する。
この内容を確認の上、修正する場合は、情報を修正の上、確認ボタンをクリックする。
そして、匿名で応募する場合は、「応募（匿名希望）」を選択し、応募ボタンをクリックする。
すると、求職者・資格取得希望者希望制御システムＢ２と利用者各種履歴制御システムＢ６が作動し、求職者・資格取得希望者の履歴書、職務経歴書、希望情報およびこれらについて個人情報のＩＤ、パスワードと異なるＩＤ、パスワードデータベースＤ２と利用者各種履歴データベースＤ７に履歴書・職務経歴書を保存すると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募時」、ステータスとして「応募（匿名希望）」に１点加点し、保存する。
さらに、求職者・資格取得希望者の求人企業評価情報表１、求人企業の求職者・資格取得希望者評価情報表２に反映される。
実名で応募する場合は、「応募（記名）」を選択し、応募ボタンをクリックする。
すると、求職者・資格取得希望者機能制御システムＢ２と利用者各種履歴制御システムＢ６が作動し、求職者・資格取得希望者の履歴書、職務経歴書、希望情報およびそれらについて個人情報とＩＤ、パスワードと異なるＩＤ、パスワードデータベースＤ２と利用者各種履歴データベースＤ７に履歴書、職務経歴書等を保存すると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして、「応募時」、ステータスとして「応募（記名）」に１点加点し、保存する。
次に、個人情報を登録するＩＤ、パスワードを入力すると登録した個人情報が開き、内容を確認の上、送信ボタンをクリックすると、利用者各種履歴制御システムＢ６が作動し、利用者各種履歴データベースＤ７に個人情報を保存する。
さらに、求職者・資格取得希望者の求人企業評価情報表１、求人企業の求職者・資格取得希望者評価情報表２に反映される。
その流れは、後述の図３６から始まる実名応募の流れにつながる。
以上の手順で、求職者・資格取得希望者の応募フローチャートを図１２、図１３に示す。
【００３４】
（２）求人企業は、ＰＣＦを利用し、ネットワーク５を介して、インターフェースＡ１にアクセスし、ＩＤ、パスワードを入力し、ログインボタンをクリックするとマイページが開く。そして、メッセージボタンをクリックすると、利用者各種履歴データベースＤ７に接続し、応募・資料請求を見る。
この応募・資料請求された求職者・資格取得希望者の評価情報を見たいときは、ＹＥＳボタンをクリックすると、求人企業の求職者・資格取得希望者評価情報表２が出力される。その結果、求人企業が面接を希望するときには、求職者・資格取得希望者の応募・資料請求状況によって変わる。
先ず、求職者・資格取得希望者が匿名で応募してきた場合で、匿名面接を許す場合、返信ボタンをクリックし、「面接通知（匿名承諾）」をセレクトする。
すると、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「面接通知（匿名承諾）」に１点加点し、保存する。
さらに、求職者・資格取得希望者の求人企業評価情報表１、求人企業の求職者・資格取得希望者評価情報表２に反映される。
匿名面接を許さない場合、返信ボタンをクリックし、「面接通知（記名要請）」をセレクトする。そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「面接通知（記名要請）」に１点加点し、保存する。
さらに、求職者・資格取得希望者の求人企業評価情報表１、求人企業の求職者・資格取得希望者評価情報表２に反映される。
求人企業が面接を希望しない場合は、返信ボタンをクリックし、「不採用」をセレクトする。そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「不採用」に１点加点し、保存する。
さらに、求職者・資格取得希望者の求人企業評価情報表１、求人企業の求職者・資格取得希望者評価情報表２に反映される。
以上の手順で、匿名で応募してきた求職者・資格取得希望者に対する求人企業が行う応募に対する返信フローチャートを図１４に示す。
【００３５】
（３）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。そして、メッセージボタンをクリックすると、利用者各種履歴データベースＤ７に接続し、求人企業から届いているメールを見る。
「面接通知（匿名承諾）」という返信をもらった求職者・資格取得希望者で面接を希望する場合は、返信ボタンをクリックし、「面接受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接受諾（匿名承諾）」に１点加点し、保存する。
さらに、求職者・資格取得希望者の求人企業評価情報表１、求人企業の求職者・資格取得希望者評価情報表２に反映される。
「面接通知（記名要請）」という返信をもらった求職者・資格取得希望者で個人情報を開示する場合は、返信ボタンをクリックし、「面接受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、利用者各種履歴データベースＤ７に個人情報が保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接受諾（記名承諾）」に１点加点し、保存する。
さらに、求職者・資格取得希望者の求人企業評価情報表１、求人企業の求職者・資格取得希望者評価情報表２に反映される。その後の流れは後述の図２２から始まる。
「面接通知（匿名承諾）」という返信をもらった求職者・資格取得希望者で面接を希望しない場合、また「面接通知（記名要請）」という返信をもらった求職者・資格取得希望者で個人情報を開示しない場合は、返信ボタンをクリックし、「面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接辞退」に１点加点し、保存する。
さらに、求職者・資格取得希望者の求人企業評価情報表１、求人企業の求職者・資格取得希望者評価情報表２に反映される。
以上の手順で、求人企業からの面接通知に対する求職者・資格取得希望者が行う求人企業への返信フローチャートを図１５に示す。
【００３６】
（４）求人企業は、ＰＣＦを利用し、ネットワーク５を介して、インターフェースＡ１にアクセスし、ＩＤ、パスワードを入力し、ログインボタンをクリックするとマイページが開く。
Ｎ次面接をする場合で匿名面接を許す場合、返信ボタンをクリックし、「Ｎ次面接通知（匿名承諾）」をセレクトする。そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知（匿名承諾）」に１点加点し、保存する。
さらに、求職者・資格取得希望者の求人企業評価情報表１、求人企業の求職者・資格取得希望者評価情報表２に反映される。
匿名面接を許さない場合、返信ボタンをクリックし、「Ｎ次面接通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知（記名要請）」に１点加点し、保存する。
さらに、求職者・資格取得希望者の求人企業評価情報表１、求人企業の求職者・資格取得希望者評価情報表２に反映される。
一方、Ｎ次面接をしない場合で不採用の場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「不採用」に１点加点し、保存する。
また、Ｎ次面接をしない場合で内定の場合は、内定のプロセスに進む。この流れは後述する。
さらに、求職者・資格取得希望者の求人企業評価情報表１、求人企業の求職者・資格取得希望者評価情報表２に反映される。
以上の手順で、求人企業が匿名の求職者・資格取得希望者に対してＮ次面接通知を行うフローチャートを図１６に示す。
【００３７】
（５）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。そして、メッセージボタンをクリックすると、利用者各種履歴データベースＤ７に接続し、求人企業から届いているメールを見る。
「Ｎ次面接通知（匿名承諾）」という返信をもらった求職者・資格取得希望者で面接を希望する場合は、返信ボタンをクリックし、「Ｎ次面接受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾（匿名承諾）」に１点加点し、保存する。
さらに、求職者・資格取得希望者の求人企業評価情報表１、求人企業の求職者・資格取得希望者評価情報表２に反映される。
「Ｎ次面接通知（記名要請）」という返信をもらった求職者・資格取得希望者で個人情報を開示する場合は、返信ボタンをクリックし、「Ｎ次面接受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾（記名承諾）」に１点加点し、保存する。
さらに、求職者・資格取得希望者の求人企業評価情報表１、求人企業の求職者・資格取得希望者評価情報表２に反映される。その後の流れは、後述の図２２から始まる実名応募の流れにつながる。
「Ｎ次面接通知（匿名承諾）」という返信をもらった求職者・資格取得希望者で面接を希望しない場合、また「Ｎ次面接通知（記名要請）」という返信をもらった求職者・資格取得希望者で個人情報を開示しない場合は、返信ボタンをクリックし、「Ｎ次面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知への返信時」、ステータスとして「Ｎ次面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が行う求人企業からＮ次面接通知をもらった際の求人企業への返信フローチャートを図１７に示す。
【００３８】
（６）求人企業は、ＰＣＦを利用し、ネットワーク５を介して、インターフェースＡ１にアクセスし、ＩＤ、パスワードを入力し、ログインボタンをクリックするとマイページが開く。
内定させる場合で匿名を許す場合、返信ボタンをクリックし、「内定通知（匿名承諾）」をセレクトする。そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知（匿名承諾）」に１点加点し、保存する。
さらに、求職者・資格取得希望者の求人企業評価情報表１、求人企業の求職者・資格取得希望者評価情報表２に反映される。
匿名を許さない場合、返信ボタンをクリックし、「内定通知（記名要請）」をセレクトする。そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知（記名要請）」に１点加点し、保存する。
さらに、求職者・資格取得希望者の求人企業評価情報表１、求人企業の求職者・資格取得希望者評価情報表２に反映される。
一方、内定させない場合、返信ボタンをクリックし、「不採用」をセレクトする。
そして、送信をクリックすると利用者各種履歴制御システムＢ６が作動し、利用者各種履歴データベースに保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「不採用」に１点加点し、保存する。
さらに、求職者・資格取得希望者の求人企業評価情報表１、求人企業の求職者・資格取得希望者評価情報表２に反映される。
以上の手順で、求人企業が内定通知を出す際のフローチャートを図１８に示す。
【００３９】
（７）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「内定通知（匿名承諾）」という返信をもらった求職者・資格取得希望者で入社を希望する場合は、返信ボタンをクリックし、「内定受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾（匿名承諾）」に１点加点し、保存する。
さらに、求職者・資格取得希望者の求人企業評価情報表１、求人企業の求職者・資格取得希望者評価情報表２に反映される。
「  内定通知（記名要請）」という返信をもらった求職者・資格取得希望者で個人情報を開示する場合は、送信ボタンをクリックし、「内定受諾（記名要請）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾（記名承諾）」に１点加点し、保存する。
さらに、求職者・資格取得希望者の求人企業評価情報表１、求人企業の求職者・資格取得希望者評価情報表２に反映される。その後の流れは、後述する図２２から始まる実名応募の流れにつながる。
「内定通知（匿名承諾）」という返信をもらった求職者・資格取得希望者で、入社を希望しない場合、また「内定通知（記名要請）」という返信をもらった求職者・資格取得希望者で個人情報を開示しない場合は、返信ボタンをクリックし、「内定辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から内定通知をもらった際に求人企業への返信フローチャートを図１９に示す。
【００４０】
（８）求人企業は、ＰＣＦを利用し、ネットワーク５を介して、インターフェースＡ１、あるいは携帯端末で閲覧可能なインターフェースＡ２にアクセスし、ＩＤ、パスワードを入力し、ログインボタンをクリックするとマイページが開く。
「内定通知（匿名承諾）」をもらった場合、返信ボタンをクリックし、「採用通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知」、ステータスとして「採用通知（記名要請）」に１点加点し、保存する。
さらに、求職者・資格取得希望者の求人企業評価情報表１、求人企業の求職者・資格取得希望者評価情報表２に反映される。
以上の手順で、求人企業が採用通知を出す際のフローチャートを図２０に示す。
（９）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると利用者各種履歴データベースＤ７に接続し、求人企業から届いているメールを見る。
「採用通知（記名要請）」という返信をもらった求職者・資格取得希望者で個人情報を開示する場合は、返信ボタンをクリックし、「採用受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用受諾（記名承諾）」に１点加点し、保存する。
さらに、求職者・資格取得希望者の求人企業評価情報表１、求人企業の求職者・資格取得希望者評価情報表２に反映される。そして入社となる。
「採用通知（記名要請）」という返信をもらった求職者・資格取得希望者で個人情報を開示しない場合は、返信ボタンをクリックし、「採用辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から採用受諾をもらった際に求人企業への返信フローチャートを図２１に示す。
【００４１】
（１０）続いて、実名で応募されてきたときの工程である。
求人企業は、ＰＣＦを利用し、ネットワーク５を介して、インターフェースＡ１にアクセスし、ＩＤ、パスワードを入力し、ログインボタンをクリックするとマイページが開く。
そして、メッセージボタンをクリックすると、利用者各種履歴データベースＤ７に接続し、応募・資料請求を見る。この応募・資料請求された求職者・資格取得希望者の評価情報を見たいときは、ＹＥＳボタンををクリックすると、求人企業の求職者・資格取得希望者評価情報表２が出力される。
その結果、面接する場合、返信ボタンをクリックし、「面接通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「面接通知」に１点加点し、保存する。
さらに、求職者・資格取得希望者の求人企業評価情報表１、求人企業の求職者・資格取得希望者評価情報表２に反映される。
求人企業が面接を希望しない場合は、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「不採用」に１点加点し、保存する。
さらに、求職者・資格取得希望者の求人企業評価情報表１、求人企業の求職者・資格取得希望者評価情報表２に反映される。
以上の手順で、求人企業が、実名で応募してきた求職者・資格取得希望者へ対する求人企業の応募の返信フローチャートを図２２に示す。
【００４２】
（１１）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「面接通知」という返信をもらった求職者・資格取得希望者で面接を希望する場合は、返信ボタンをクリックし、「面接受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接受諾」に１点加点し、保存する。
さらに、求職者・資格取得希望者の求人企業評価情報表１、求人企業の求職者・資格取得希望者評価情報表２に反映される。
また、面接を希望しない場合は、返信ボタンをクリックし、「面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から面接通知もらった際に求人企業への返信フローチャートを図２２、図２３に示す。
【００４３】
（１２）求人企業は、ＰＣＦを利用し、ネットワーク５を介して、インターフェースＡ１にアクセスし、ＩＤ、パスワードを入力し、ログインボタンをクリックするとマイページが開く。
Ｎ次面接をする場合、返信ボタンをクリックし、「Ｎ次面接通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知」に１点加点し、保存する。
さらに、求職者・資格取得希望者の求人企業評価情報表１、求人企業の求職者・資格取得希望者評価情報表２に反映される。
Ｎ次面接をしない場合で不採用の場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「不採用」に１点加点し、保存する。
また、Ｎ次面接をしない場合で内定の場合は、内定のプロセスに進む。
さらに、求職者・資格取得希望者の求人企業評価情報表１、求人企業の求職者・資格取得希望者評価情報表２に反映される。
以上の手順で、求人企業が、実名でＮ次面接を行う際のフローチャートを図２３に示す。
【００４４】
（１３）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「Ｎ次面接通知」という返信をもらった求職者・資格取得希望者で面接を希望する場合は、返信ボタンをクリックし、「Ｎ次面接受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「求人企業への返信時」、ステータスとして「Ｎ次面接受諾」に１点加点し、保存する。
さらに、求職者・資格取得希望者の求人企業評価情報表１、求人企業の求職者・資格取得希望者評価情報表２に反映される。
また、面接を希望しない場合は、返信ボタンをクリックし、「Ｎ次面接辞退」をセレクトする。そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業からＮ次面接通知をもらった際の求人企業への返信フローチャートを図２４に示す。
【００４５】
（１４）求人企業は、ＰＣＦを利用し、ネットワーク５を介して、インターフェースＡ１にアクセスし、ＩＤ、パスワードを入力し、ログインボタンをクリックするとマイページが開く。
内定させる場合、返信ボタンをクリックし、「内定通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知」に１点加点し、保存する。
さらに、求職者・資格取得希望者の求人企業評価情報表１、求人企業の求職者・資格取得希望者評価情報表２に反映される。
内定させない場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「不採用」に１点加点し、保存する。
さらに、求職者・資格取得希望者の求人企業評価情報表１、求人企業の求職者・資格取得希望者評価情報表２に反映される。
以上の手順で、求人企業が、実名の求職者・資格取得希望者に内定通知を出す際のフローチャートを図２５に示す。
【００４６】
（１５）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「内定通知」という返信をもらった求職者・資格取得希望者で入社を希望する場合は、返信ボタンをクリックし、「内定受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾」に１点加点し、保存する。
さらに、求職者・資格取得希望者の求人企業評価情報表１、求人企業の求職者・資格取得希望者評価情報表２に反映される。
また、入社を希望しない場合は、返信ボタンをクリックし、「内定辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から内定通知をもらった際に求人企業への返信フローチャートを図２５に示す。
【００４７】
（１６）求人企業は、ＰＣＦを利用し、ネットワーク５を介して、インターフェースＡ１にアクセスし、ＩＤ、パスワードを入力し、ログインボタンをクリックするとマイページが開く。
「内定受諾」をもらった場合、返信ボタンをクリックし、「採用通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知」、ステータスとして「採用通知」に１点加点し、保存する。
さらに、求職者・資格取得希望者の求人企業評価情報表１、求人企業の求職者・資格取得希望者評価情報表２に反映される。
以上の手順で、求人企業が、求職者・資格取得希望者に採用通知を出す際のフローチャートを図２６に示す。
（１７）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると利用者各種履歴データベースＤ７に接続し、求人企業から届いているメールを見る。
「採用通知」という返信をもらった場合は、返信ボタンをクリックし、「採用受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用受諾」に１点加点し、保存する。
さらに、求職者・資格取得希望者の求人企業評価情報表１、求人企業の求職者・資格取得希望者評価情報表２に反映される。
そして入社となる。
以上の手順で、求職者・資格取得希望者が、求人企業から採用通知をもらった際に求人企業への返信フローチャートを図２６に示す。
これらの流れは、一例であり、ステータス、シーケンスの各項目の名称、数については、変更または増減することができる。
【実施例４】
【００４８】
次いで、実施例４では、実施例１及び実施例２の全体システムを利用して、求人企業は、ネットワーク５を介して、インターフェース２のパソコンで閲覧可能なインターフェースＡ１、あるいは携帯端末で閲覧可能なインターフェースＡ２にアクセスし、匿名または実名の求職者・資格取得希望者情報を閲覧、求人企業の求職者・資格取得希望者評価情報を見て指名（スカウトメール）する。
求職者・資格取得希望者は、その指名を閲覧し、求職者・資格取得希望者の求人企業評価情報を見て面接を受けるかどうか判断、何回かの面接を経て内定、入社に至るまでの過程を示す。
さらに匿名で情報開示した求職者・資格取得希望者は上記のどのプロセスでの実名を明かせるものである。
その工程は、以下のとおりである。
（１）求人企業は、ＰＣＦを利用し、ネットワーク５を介して、インターフェースＡ１、あるいはインターフェースＡ２にアクセスし、ＩＤ、パスワードを入力し、ログインボタンをクリックするとマイページが開き、求職者・資格取得希望者情報を閲覧する。
この情報を閲覧して、求人企業の求職者・資格取得希望者評価情報を見たいときは、ＹＥＳボタンをクリックすると、求人企業の求職者・資格取得希望者評価情報表２を表示する。
その結果、指名する場合は、求職者・資格取得希望者が匿名で記名要請をするかどうかによって変わる。
なお、実名の場合は、後述の図３６から始まる実名指名の流れにつながる。
【００４９】
先ず、匿名を許す場合、返信ボタンをクリックし、「面接勧誘（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウト時」、ステータスとして「面接勧誘（匿名承諾）」に１点加点し、保存する。
さらに、求職者・資格取得希望者の求人企業評価情報表１、求人企業の求職者・資格取得希望者評価情報表２に反映される。
匿名要請をする場合、返信ボタンをクリックし、「面接勧誘（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウト時」、ステータスとして「面接勧誘（記名要請）」に１点加点し、保存する。
さらに、求職者・資格取得希望者の求人企業評価情報表１、求人企業の求職者・資格取得希望者評価情報表２に反映される。
以上の手順で、求人企業が、求職者・資格取得希望者を指名してスカウトメールを送るフローチャートを図２７、図２８に示す。
【００５０】
（２）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「面接勧誘（匿名承諾）」という返信をもらった求職者・資格取得希望者は、求職者・資格取得希望者の求人企業評価情報を見る場合、ＹＥＳボタンをクリックすると、求職者・資格取得希望者の求人企業評価情報表１を表示する。
その結果、面接を受ける場合は、返信ボタンをクリックし、「面接受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウトの返信時」、ステータスとして「面接受諾（匿名承諾）」に１点加点し、保存する。
さらに、求職者・資格取得希望者の求人企業評価情報表１、求人企業の求職者・資格取得希望者評価情報表２に反映される。
「面接勧誘（記名要請）」という返信をもらった求職者・資格取得希望者は、求職者・資格取得希望者の求人企業評価情報を見る場合、ＹＥＳボタンをクリックすると、求職者・資格取得希望者の求人企業評価情報表１を表示する。
その結果、個人情報を開示する場合は、返信ボタンをクリックし、「面接受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウトの返信時」、ステータスとして「面接受諾（記名承諾）」に１点加点し、保存する。
さらに、求職者・資格取得希望者の求人企業評価情報表１、求人企業の求職者・資格取得希望者評価情報表２に反映される。
その後の流れは後述の図３６から始まる実名指名の流れにつながる。
「面接勧誘（匿名承諾）」という返信をもらった求職者・資格取得希望者で、面接を希望しない場合、また「面接勧誘（記名要請）」という返信をもらった求職者・資格取得希望者で個人情報を開示しない場合は、返信ボタンをクリックし、「面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウトの返信時」、ステータスとして「面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から指名をもらった際に求人企業への返信フローチャートを図２８、図２９に示す。
【００５１】
（３）求人企業は、ＰＣＦを利用し、ネットワーク５を介して、インターフェースＡ１にアクセスし、ＩＤ、パスワードを入力し、ログインボタンをクリックするとマイページが開く。
Ｎ次面接をする場合で匿名面接を許す場合、返信ボタンをクリックし、「Ｎ次面接通知（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知（匿名承諾）」に１点加点し、保存する。
さらに、求職者・資格取得希望者の求人企業評価情報表１、求人企業の求職者・資格取得希望者評価情報表２に反映される。
匿名面接を許さない場合、返信ボタンをクリックし、「Ｎ次面接通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知（記名要請）」に１点加点し、保存する。
さらに、求職者・資格取得希望者の求人企業評価情報表１、求人企業の求職者・資格取得希望者評価情報表２に反映される。
一方、Ｎ次面接をしない場合で不採用の場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「不採用」に１点加点し、保存する。
また、Ｎ次面接をしない場合で内定の場合は、内定のプロセスに進む。この流れは後述する。
さらに、求職者・資格取得希望者の求人企業評価情報表１、求人企業の求職者・資格取得希望者評価情報表２に反映される。
以上の手順で、求人企業が、匿名の求職者・資格取得希望者にＮ次面接通知を行う際のフローチャートを図３０に示す。
【００５２】
（４）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「Ｎ次面接通知（匿名承諾）」という返信をもらった求職者・資格取得希望者で面接を希望する場合は、返信ボタンをクリックし、「Ｎ次面接受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾（匿名承諾）」に１点加点し、保存する。
さらに、求職者・資格取得希望者の求人企業評価情報表１、求人企業の求職者・資格取得希望者評価情報表２に反映される。
「Ｎ次面接通知（記名要請）」という返信をもらった求職者・資格取得希望者で個人情報を開示する場合は、返信ボタンをクリックし、「Ｎ次面接受諾（記名承諾）」をセレクトする。次に個人情報を登録するＩＤ、パスワードを入力すると個人情報が開き、内容を確認の上、送信をクリックすると利用者各種履歴制御システムＢ７が作動し、個人情報が、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾（記名承諾）」に１点加点し、保存する。
さらに、求職者・資格取得希望者の求人企業評価情報表１、求人企業の求職者・資格取得希望者評価情報表２に反映される。その後の流れは、後述の図３６から始まる実名指名の流れにつながる。
「Ｎ次面接通知（匿名承諾）」という返信をもらった求職者・資格取得希望者で面接を希望しない場合、また「Ｎ次面接通知（記名要請）」という返信をもらった求職者・資格取得希望者で個人情報を開示しない場合は、返信ボタンをクリックし、「Ｎ次面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業からＮ次面接通知をもらった際に求人企業への返信フローチャートを図３１に示す。
【００５３】
（５）求人企業は、ＰＣＦを利用し、ネットワーク５を介して、インターフェースＡ１にアクセスし、ＩＤ、パスワードを入力し、ログインボタンをクリックするとマイページが開く。
内定させる場合で匿名を許す場合、返信ボタンをクリックし、「内定通知（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知（匿名承諾）」に１点加点し、保存する。
さらに、求職者・資格取得希望者の求人企業評価情報表１、求人企業の求職者・資格取得希望者評価情報表２に反映される。
内定させる場合で匿名を許さない場合、返信ボタンをクリックし、「内定通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知（記名要請）」に１点加点し、保存する。
さらに、求職者・資格取得希望者の求人企業評価情報表１、求人企業の求職者・資格取得希望者評価情報表２に反映される。
一方、内定させない場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「不採用」に１点加点し、保存する。
さらに、求職者・資格取得希望者の求人企業評価情報表１、求人企業の求職者・資格取得希望者評価情報表２に反映される。
以上の手順で、求人企業が、匿名の求職者・資格取得希望者に内定通知を出す際のフローチャートを図３２に示す。
【００５４】
（６）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「内定通知（匿名承諾）」という返信をもらった求職者・資格取得希望者で、入社を希望する場合は、返信ボタンをクリックし、「内定受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾（匿名承諾）」に１点加点し、保存する。
さらに、求職者・資格取得希望者の求人企業評価情報表１、求人企業の求職者・資格取得希望者評価情報表２に反映される。
「内定通知（記名要請）」という返信をもらった求職者・資格取得希望者で個人情報を開示する場合は、返信ボタンをクリックし、「内定受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾（記名承諾）」に１点加点し、保存する。
さらに、求職者・資格取得希望者の求人企業評価情報表１、求人企業の求職者・資格取得希望者評価情報表２に反映される。
その後の流れは、後述する図３６から始まる実名指名の流れにつながる。
「内定通知（匿名承諾）」という返信をもらった求職者・資格取得希望者で、入社を希望しない場合、また「内定通知（記名要請）」という返信をもらった求職者・資格取得希望者で、個人情報を開示しない場合は、返信ボタンをクリックし、「内定辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から内定通知をもらった際に求人企業への返信フローチャートを図３３に示す。
【００５５】
（７）求人企業は、ＰＣＦを利用し、ネットワーク５を介して、インターフェースＡ１にアクセスし、ＩＤ、パスワードを入力し、ログインボタンをクリックするとマイページが開く。
「内定通知（匿名承諾）」をもらった場合、返信ボタンをクリックし、「採用通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知」、ステータスとして「採用通知（記名要請）」に１点加点し、保存する。
さらに、求職者・資格取得希望者の求人企業評価情報表１、求人企業の求職者・資格取得希望者評価情報表２に反映される。
以上の手順で、求人企業が、採用通知を出す際のフローチャートを図３４に示す。
【００５６】
（８）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると利用者各種履歴データベースＤ７に接続し、求人企業から届いているメールを見る。
「採用通知（記名要請）」という返信をもらった求職者・資格取得希望者で個人情報を開示する場合は、返信ボタンをクリックし、「採用受諾（記名要請）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用受諾（記名承諾）」に１点加点し、保存する。
さらに、求職者・資格取得希望者の求人企業評価情報表１、求人企業の求職者・資格取得希望者評価情報表２に反映される。そして入社となる。
「採用通知（記名要請）」という返信をもらった求職者・資格取得希望者で個人情報を開示しない場合は、返信ボタンをクリックし、「採用辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から採用受諾通知をもらった際に求人企業への返信フローチャートを図３５に示す。
【００５７】
（９）続いて、実名で指名したときの工程である。
求人企業は、返信ボタンをクリックし、「面接勧誘」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウト時」、ステータスとして「面接勧誘」に１点加点し、保存する。
さらに、求職者・資格取得希望者の求人企業評価情報表１、求人企業の求職者・資格取得希望者評価情報表２に反映される。
以上の手順で、求人企業が、実名の求職者・資格取得希望者を指名するフローチャートを図３６に示す。
（１０）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。そして、メッセージボタンをクリックすると、利用者各種履歴データベースＤ７に接続し、求人企業から届いているメールを見る。
「面接勧誘」をもらった求職者・資格取得希望者は、求職者・資格取得希望者の求人企業の評価情報を見る場合、評価ボタンをクリックすると、求職者・資格取得希望者の求人企業評価表１を表示する。
その結果、面接を受ける場合は、ＹＥＳボタンをクリックし、「面接受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウトの返信時」、ステータスとして「面接受諾」に１点加点し、保存する。
さらに、求職者・資格取得希望者の求人企業評価情報表１、求人企業の求職者・資格取得希望者評価情報表２に反映される。
また、面接を希望しない場合は、返信ボタンをクリックし、「面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「スカウトの返信時」、ステータスとして「面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、指名をもらった際に求人企業への返信フローチャートを図３６、図３７に示す。
【００５８】
（１１）求人企業は、ＰＣＦを利用し、ネットワーク５を介して、インターフェースＡ１にアクセスし、ＩＤ、パスワードを入力し、ログインボタンをクリックすると、マイページが開く。
Ｎ次面接をする場合、返信ボタンをクリックし、「Ｎ次面接通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知」に１点加点し、保存する。
さらに、求職者・資格取得希望者の求人企業評価情報表１、求人企業の求職者・資格取得希望者評価情報表２に反映される。
Ｎ次面接をしない場合で不採用の場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「不採用」に１点加点し、保存する。
また、Ｎ次面接をしない場合で内定の場合は、内定のプロセスに進む。
さらに、求職者・資格取得希望者の求人企業評価情報表１、求人企業の求職者・資格取得希望者評価情報表２に反映される。
以上の手順で、求人企業が、Ｎ次面接を行う際のフローチャートを図３８に示す。
【００５９】
（１２）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「Ｎ次面接通知」という返信をもらった求職者・資格取得希望者で面接を希望する場合は、返信ボタンをクリックし、「Ｎ次面接受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾」に１点加点し、保存する。
さらに、求職者・資格取得希望者の求人企業評価情報表１、求人企業の求職者・資格取得希望者評価情報表２に反映される。
また、面接を希望しない場合は、返信ボタンをクリックし、「Ｎ次面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業からＮ次面接通知をもらった際に求人企業への返信フローチャートを図３８に示す。
【００６０】
（１３）求人企業は、ＰＣＦを利用し、ネットワーク５を介して、インターフェースＡ１にアクセスし、ＩＤ、パスワードを入力し、ログインボタンをクリックするとマイページが開く。
内定させる場合、返信ボタンをクリックし、「内定通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知」に１点加点し、保存する。
さらに、求職者・資格取得希望者の求人企業評価情報表１、求人企業の求職者・資格取得希望者評価情報表２に反映される。
内定させない場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「不採用」に１点加点し、保存する。
さらに、求職者・資格取得希望者の求人企業評価情報表１、求人企業の求職者・資格取得希望者評価情報表２に反映される。
以上の手順で、求人企業が、内定通知を出す際のフローチャートを図３９に示す。
【００６１】
（１４）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「内定通知」という返信をもらった求職者・資格取得希望者で入社を希望する場合は、返信ボタンをクリックし、「内定受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾」に１点加点し、保存する。
さらに、求職者・資格取得希望者の求人企業評価情報表１、求人企業の求職者・資格取得希望者評価情報表２に反映される。
また、入社を希望しない場合は、返信ボタンをクリックし、「内定辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定辞退」に１点加点し、保存する。
さらに、求職者・資格取得希望者の求人企業評価情報表１、求人企業の求職者・資格取得希望者評価情報表２に反映される。
以上の手順で、求職者・資格取得希望者が、求人企業から内定通知をもらった際に求人企業への返信フローチャートを図３９に示す。
【００６２】
（１５）求人企業は、ＰＣＦを利用し、ネットワーク５を介して、インターフェースＡ１にアクセスし、ＩＤ、パスワードを入力し、ログインボタンをクリックするとマイページが開く。
「内定受諾」をもらった場合、返信ボタンをクリックし、「採用通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知」、ステータスとして「採用通知」に１点加点し、保存する。
さらに、求職者・資格取得希望者の求人企業評価情報表１、求人企業の求職者・資格取得希望者評価情報表２に反映される。
以上の手順で、求人企業が、採用通知を出す際のフローチャートを図４０に示す。
【００６３】
（１６）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると利用者各種履歴データベースＤ７に接続し、求人企業から届いているメールを見る。
「採用通知」という返信をもらった場合は、返信ボタンをクリックし、「採用受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用受諾」に１点加点し、保存する。
さらに、求職者・資格取得希望者の求人企業評価情報表１、求人企業の求職者・資格取得希望者評価情報表２に反映される。そして入社となる。
以上の手順で、求職者・資格取得希望者が、求人企業から採用通知をもらった際に求人企業への返信フローチャートを図４０に示す。
これらの流れは、一例であり、ステータス、シーケンスの各項目の名称、数については、変更、または増減することができる。
【実施例５】
【００６４】
次いで、実施例５は、実施例１及び実施例２の全体システムを利用して、求人企業が、ネットワーク５を介して、インターフェース２にアクセスし、募集情報、講座情報、セミナー情報、模擬試験情報等を登録、各種サイトに掲載したい情報を選択し、インターフェース２に配置される各種サイト掲載ボタンをクリックすることで、各種サイト用ページジェネレーターＢ７が各種サイト専門の募集情報・講座情報・セミナー情報・模擬試験情報等を提供するファイル（ファイル１）を自動作成し、サーバ１に保存する。または、サーバ１に接続し、募集情報・講座情報・セミナー情報・模擬試験情報等を提供するプログラムが書き込まれているファイル（ファイル２）を自動作成する。
ファイル１は、各種サイトからリンクさせることにより、ファイル２は各種サイトに保存することにより、各種サイトに情報提供する。
求職者・資格取得希望者は、各種サイトから匿名または実名で応募・資料請求することができ、求人企業は、応募・資料請求されてきた求職者・資格取得希望者の求人企業から見た評価を見ることができる。
さらに、その結果を元に、何回かの面接を経て、内定、入社になるまでの過程を示す。さらに、匿名で応募・資料請求した求職者・資格取得希望者は、上記のどのプロセスでも実名を明かせるものである。
これにより、求人企業は、サーバ１に情報登録することで、自社サイトにて情報提供することができ、求職者・資格取得希望者は、実名のみならず匿名で応募・資料請求することができることで、情報漏洩等の心配をすることなく、応募・資料請求でき、さらに、求人企業は、匿名応募・資料請求の求職者・資格取得希望者でも、評価情報を閲覧することで、実在の応募・資料請求者か、本当に採用活動をしている応募・資料請求者なのかが評価できるものである。
【００６５】
この工程は、以下のとおりである。
（１）求人企業は、ＰＣＦを利用し、ネットワーク５を介して、インターフェースＡ１にアクセスし、「法人のお客様へ」というボタンをクリックする。すると求人企業機能制御システムＢ２が作動し、募集社会員登録ページが開く。
このページにおいて、企業情報、管理者情報を入力し、企業情報登録ボタンをクリックすると、求人企業機能制御システムＢ２が作動し、求人企業ＩＤ、パスワード、メールアドレスデータベースＤ３、求人企業情報データベースＤ４に保存される。そして、企業毎にＩＤ、パスワードが発行され、マイページが登録される。
さらに、後述する求人企業専門の募集情報・講座情報・セミナー情報・模擬試験情報等を提供するファイル（ファイル１）へのリンク先ＵＲＬが表示される。リンク先ＵＲＬは、後述するファイル１、ファイル２が作成された後に表示されるケースも考えられる。
（２）求人企業は、インターフェースＡ１に、発行されたＩＤ、パスワードを入力し、ログインボタンをクリックする。
するとマイページが開き、募集情報・講座情報・セミナー情報・模擬試験情報等を入力し、各種情報登録ボタンをクリックすると、求人企業機能制御システムＢ２が作動し、募集情報、希望情報データベースＤ５、講座情報、希望情報データベースＤ６に保存される。
（３）自社サイトで情報提供する場合は、上記のマイページから自社サイトに掲載したい募集情報・講座情報・セミナー情報・模擬試験情報等を選択し、枠購入ページから自社掲載を選択する。
次に求人企業の自社サイト独自のフォーマット、デザインがされているページがあれば、サーバ１に保存する。自社サイト独自のページは自社で作成するだけでなく、専門の業者に作成させてもよい。
そして、各種サイト掲載ボタンをクリックすると、各種サイトへの募集情報・講座情報・セミナー情報・模擬試験情報等の提供制御システムＢ３が作動し、募集情報、希望情報データベースＤ５、講座情報、希望情報Ｄ６に保存される。
同時に、各種サイト用ページジェネレーターＢ７が作動し、求人企業専門の募集情報・講座情報・セミナー情報・模擬試験情報等を掲載するファイル（ファイル１）を自動作成、サーバ１に保存する。
また、サーバ１に接続し、募集情報・講座情報・セミナー情報・模擬試験情報等を提供するプログラムが書き込まれているファイル（ファイル２）を自動作成する。
ファイル１を使用する場合は、求人企業のＩＤ、パスワード発行時に表示されたファイル１へのリンク先ＵＲＬを自社サイト内の掲載したいページに表示するようにリンクさせる。
ファイル２を使用する場合は、そのページをダウンロードし、自社サイトへのサーバへ保存させる。
これにより、公開情報として指定された募集情報、講座情報、セミナー情報、模擬試験情報等を表示させる。サーバ１への接続方法、情報の提供方法としては、cgi、jsp、asp、html、XML、ActiveX、Java（登録商標）アプレット、フラッシュ（Flash）など様々なプログラムがある。
【００６６】
（４）求職者・資格取得希望者は、ＰＣＡ〜Ｄを利用し、各種サイト６を閲覧し、募集情報・講座情報・セミナー情報・模擬試験情報等のコーナーを選択し、情報を閲覧する。
その結果、応募、資料請求等をするときは、履歴書、職務経歴書応募・登録ボタンをクリックする。
すると、ログイン必要ページが開き、希望のＩＤ、パスワード、メールアドレスを入力する。
そして、求職者・資格取得希望者ＩＤ、パスワード、メールアドレス登録ボタンをクリックすると、求職者・資格取得希望者の履歴書・職務経歴書およびそれらについて、個人情報のＩＤ、パスワードと異なるＩＤ、パスワードデータベースＤ２に保存される。
次いで、応募フォームが開き、このフォームに必要事項を入力し、確認ボタンをクリックすると、求職者・資格取得希望者の履歴書・職務経歴書およびそれらについて個人情報のＩＤ、パスワードと異なるＩＤ、パスワードデータベースＤ２に保存する。
そして、匿名で応募・資料請求する場合は、「応募（匿名希望）」を選択し、応募ボタンをクリックする。
すると、求職者・資格取得希望者希望制御システムＢ２と利用者各種履歴制御システムＢ６が作動し、求職者・資格取得希望者の履歴書、職務経歴書およびそれらについて個人情報のＩＤ、パスワードと異なるＩＤ、パスワードデータベースＤ２と利用者各種履歴データベースＤ７に履歴書・職務経歴書を保存すると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募時」、ステータスとして「応募（匿名希望）」に１点加点し、保存する。
さらに、求職者・資格取得希望者の求人企業評価情報表１、求人企業の求職者・資格取得希望者評価情報表２に反映される。
次に、個人情報を登録する場合は、登録ボタンをクリックすると、ログイン必要ページが開き、前述の履歴書、職務経歴書を入力する際に登録したＩＤ、パスワードと異なるＩＤ、パスワードを入力する。そして、フォームに個人情報を入力し、保存ボタンをクリックする。
すると、求職者・資格取得規模者の個人情報および個人情報に関するＩＤ、パスワード、メールアドレスデータベースＤ１に保存する。
実名で応募・資料請求する場合は、応募フォームに必要事項を入力した上で、「応募（記名）」を選択し、応募ボタンをクリック、求職者・資格取得希望者希望制御システムＢ２と利用者各種履歴制御システムＢ６が作動し、求職者・資格取得希望者の履歴書・職務経歴書・希望情報およびそれらについて個人情報のＩＤ、パスワードと異なるＩＤ、パスワードデータベースＤ２と利用者各種履歴データベースＤ７に履歴書・職務経歴書を保存すると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募時」、ステータスとして「応募（記名）」に１点加点し、保存する。
次に、個人情報を登録するためのログインページが開き、前述の履歴書、職務経歴書を入力する際に登録したＩＤ、パスワードと異なるＩＤ、パスワードを入力する。
そして、フォームに個人情報を入力し、送信ボタンをクリックすると、求職者・資格取得希望者希望制御システムＢ１と利用者各種履歴制御システムＢ６が作動し、求職者・資格取得規模者の個人情報および個人情報に関するＩＤ、パスワード、メールアドレスデータベースＤ１、利用者各種履歴データベースＤ７に個人情報を保存する。
さらに、求職者・資格取得希望者の求人企業評価情報表１、求人企業の求職者・資格取得希望者評価情報表２に反映される。
その後の流れは、前述の実名応募の流れにつながる。
【００６７】
（６）求人企業は、ＰＣＦを利用し、ネットワーク５を介して、インターフェースＡ１にアクセスし、ＩＤ、パスワードを入力、ログインをクリックするとマイページが開く。  そして、メッセージボタンをクリックすると、利用者各種履歴データベースＤ７に接続し、応募・資料請求を見る。
この応募・資料請求された求職者・資格取得希望者の評価情報を見たいときは、評価ボタンをクリックすると、求人企業の求職者・資格取得希望者評価情報表２が出力される。
その結果、求人企業が面接を希望するときには、求職者・資格取得希望者の応募・資料請求状況によって変わる。
先ず、求職者・資格取得希望者が匿名で応募・資料請求してきた場合で、匿名面接を許す場合、返信ボタンをクリックし、「面接通知（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「面接通知（匿名承諾）」に１点加点し、保存する。
さらに、求職者・資格取得希望者の求人企業評価情報表１、求人企業の求職者・資格取得希望者評価情報表２に反映される。
匿名面接を許さない場合、返信ボタンをクリックし、「面接通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「面接通知（記名要請）」に１点加点し、保存する。
さらに、求職者・資格取得希望者の求人企業評価情報表１、求人企業の求職者・資格取得希望者評価情報表２に反映される。
求人企業が面接を希望しない場合は、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「不採用」に１点加点し、保存する。
さらに、求職者・資格取得希望者の求人企業評価情報表１、求人企業の求職者・資格取得希望者評価情報表２に反映される。
【００６８】
（７）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「面接通知（匿名承諾）」という返信をもらった求職者・資格取得希望者で面接を希望する場合は、返信ボタンをクリックし、「面接受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接受諾（匿名承諾）」に１点加点し、保存する。
さらに、求職者・資格取得希望者の求人企業評価情報表１、求人企業の求職者・資格取得希望者評価情報表２に反映される。
「面接通知（記名要請）」という返信をもらった求職者・資格取得希望者で個人情報を開示する場合は、返信ボタンをクリックし、「面接受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接受諾（記名承諾）」に１点加点し、保存する。
さらに、求職者・資格取得希望者の求人企業評価情報表１、求人企業の求職者・資格取得希望者評価情報表２に反映される。その後の流れは後述の実名応募の流れにつながる。
「面接通知（匿名承諾）」という返信をもらった求職者・資格取得希望者で面接を希望しない場合、また「面接通知（記名要請）」という返信をもらった求職者・資格取得希望者で個人情報を開示しない場合は、返信ボタンをクリックし、「面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接辞退」に１点加点し、保存する。
さらに、求職者・資格取得希望者の求人企業評価情報表１、求人企業の求職者・資格取得希望者評価情報表２に反映される。
【００６９】
（８）求人企業は、ＰＣＦを利用し、ネットワーク５を介して、インターフェースＡ１にアクセスし、ＩＤ、パスワードを入力、ログインをクリックするとマイページが開く。
Ｎ次面接をする場合で匿名面接を許す場合、返信ボタンをクリックし、「Ｎ次面接通知（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知（匿名承諾）」に１点加点し、保存する。
さらに、求職者・資格取得希望者の求人企業評価情報表１、求人企業の求職者・資格取得希望者評価情報表２に反映される。
匿名面接を許さない場合、返信ボタンをクリックし、「Ｎ次面接通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知（記名要請）」に１点加点し、保存する。
さらに、求職者・資格取得希望者の求人企業評価情報表１、求人企業の求職者・資格取得希望者評価情報表２に反映される。
一方、Ｎ次面接をしない場合で不採用の場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「不採用」に１点加点し、保存する。
また、Ｎ次面接をしない場合で内定の場合は、内定のプロセスに進む。この流れは後述する。
さらに、求職者・資格取得希望者の求人企業評価情報表１、求人企業の求職者・資格取得希望者評価情報表２に反映される。
【００７０】
（９）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「Ｎ次面接通知（匿名承諾）」という返信をもらった求職者・資格取得希望者で面接を希望する場合は、返信ボタンをクリックし、「Ｎ次面接受諾（匿名承諾）」をセレクトする。
そして、送信をクリックすると利用者各種履歴制御システムＢ６が作動し、利用者各種履歴データベースに保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾（匿名承諾）」に１点加点し、保存する。
さらに、求職者・資格取得希望者の求人企業評価情報表１、求人企業の求職者・資格取得希望者評価情報表２に反映される。「Ｎ次面接通知（記名要請）」という返信をもらった求職者・資格取得希望者で個人情報を開示する場合は、返信ボタンをクリックし、「Ｎ次面接受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾（記名承諾）」に１点加点し、保存する。
さらに、求職者・資格取得希望者の求人企業評価情報表１、求人企業の求職者・資格取得希望者評価情報表２に反映される。
その後の流れは、後述の実名応募の流れにつながる。
「Ｎ次面接通知（匿名承諾）」という返信をもらった求職者・資格取得希望者で面接を希望しない場合、また「Ｎ次面接通知（記名要請）」という返信をもらった求職者・資格取得希望者で個人情報を開示しない場合は、返信ボタンをクリックし、「Ｎ次面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接辞退」に１点加点し、保存する。
さらに、求職者・資格取得希望者の求人企業評価情報表１、求人企業の求職者・資格取得希望者評価情報表２に反映される。
【００７１】
（１０）求人企業は、ＰＣＦを利用し、ネットワーク５を介して、インターフェースＡ１にアクセスし、ＩＤ、パスワードを入力し、ログインボタンをクリックするとマイページが開く。
内定させる場合で匿名を許す場合、返信ボタンをクリックし、「内定通知（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知（匿名承諾）」に１点加点し、保存する。
さらに、求職者・資格取得希望者の求人企業評価情報表１、求人企業の求職者・資格取得希望者評価情報表２に反映される。
内定させる場合で匿名を許さない場合、返信ボタンをクリックし、「内定通知（記名要請）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知（記名要請）」に１点加点し、保存する。
さらに、求職者・資格取得希望者の求人企業評価情報表１、求人企業の求職者・資格取得希望者評価情報表２に反映される。
一方、内定させない場合、返信ボタンをクリックし、「不採用」をセレクトする。
そして、送信をクリックすると利用者各種履歴制御システムＢ６が作動し、利用者各種履歴データベースに保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「不採用」に１点加点し、保存する。
さらに、求職者・資格取得希望者の求人企業評価情報表１、求人企業の求職者・資格取得希望者評価情報表２に反映される。
【００７２】
（１１）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「内定通知（匿名承諾）」という返信をもらった求職者・資格取得希望者で入社を希望する場合は、返信ボタンをクリックし、「内定受諾（匿名承諾）」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾（匿名承諾）」に１点加点し、保存する。
さらに、求職者・資格取得希望者の求人企業評価情報表１、求人企業の求職者・資格取得希望者評価情報表２に反映される。
「内定通知（記名要請）」という返信をもらった求職者・資格取得希望者で個人情報を開示する場合は、返信ボタンをクリックし、「内定受諾（記名承諾）」をセレクトする。
次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾（記名承諾）」に１点加点し、保存する。
さらに、求職者・資格取得希望者の求人企業評価情報表１、求人企業の求職者・資格取得希望者評価情報表２に反映される。
その後の流れは、前述した実名応募の流れにつながる。
「内定通知（匿名承諾）」という返信をもらった求職者・資格取得希望者で入社を希望しない場合、また「内定通知（記名要請）」という返信をもらった求職者・資格取得希望者で個人情報を開示しない場合は、返信ボタンをクリックし、「内定辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定辞退」に１点加点し、保存する。
さらに、求職者・資格取得希望者の求人企業評価情報表１、求人企業の求職者・資格取得希望者評価情報表２に反映される。
【００７３】
（１２）求人企業は、ＰＣＦを利用し、ネットワーク５を介して、インターフェースＡ１にアクセスし、ＩＤ、パスワードを入力し、ログインボタンをクリックするとマイページが開く。
「内定通知（匿名承諾）」をもらった場合、返信ボタンをクリックし、「採用通知（記名要請）」をセレクトする。
そして、送信をクリックすると利用者各種履歴制御システムＢ６が作動し、利用者各種履歴データベースに保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知」、ステータスとして「採用通知（記名要請）」に１点加点し、保存する。
さらに、求職者・資格取得希望者の求人企業評価情報表１、求人企業の求職者・資格取得希望者評価情報表２に反映される。
【００７４】
（１３）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると利用者各種履歴データベースＤ７に接続し、求人企業から届いているメールを見る。
「採用通知（記名要請）」という返信をもらった求職者・資格取得希望者で個人情報を開示する場合は、返信ボタンをクリックし、「採用受諾（記名承諾）」をセレクトする。次に、個人情報を登録するＩＤ、パスワードを入力すると個人情報が開き、内容を確認の上、送信をクリックすると利用者各種履歴制御システムＢ６が作動し、個人情報が利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用受諾（記名承諾）」に１点加点し、保存する。
さらに、求職者・資格取得希望者の求人企業評価情報表１、求人企業の求職者・資格取得希望者評価情報表２に反映される。そして入社となる。
「採用通知（記名要請）」という返信をもらった求職者・資格取得希望者で個人情報を開示しない場合は、返信ボタンをクリックし、「採用辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用辞退」に１点加点し、保存する。
さらに、求職者・資格取得希望者の求人企業評価情報表１、求人企業の求職者・資格取得希望者評価情報表２に反映される。
【００７５】
（１４）続いて、実名で応募されてきたときの工程である。
求人企業は、ＰＣＦを利用し、ネットワーク５を介して、インターフェースＡ１にアクセスし、ＩＤ、パスワードを入力し、ログインボタンをクリックするとマイページが開く。
そして、メッセージボタンをクリックすると、利用者各種履歴データベースＤ７に接続し、応募・資料請求を見る。
この応募・資料請求された求職者・資格取得希望者の評価情報を見たいときは、評価ボタンをクリックすると、求人企業の求職者・資格取得希望者評価情報表２が出力される。
その結果、面接する場合、返信ボタンをクリックし、「面接通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「面接通知」に１点加点し、保存する。
さらに、求職者・資格取得希望者の求人企業評価情報表１、求人企業の求職者・資格取得希望者評価情報表２に反映される。
求人企業が面接を希望しない場合は、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「応募の返信時」、ステータスとして「不採用」に１点加点し、保存する。
さらに、求職者・資格取得希望者の求人企業評価情報表１、求人企業の求職者・資格取得希望者評価情報表２に反映される。
【００７６】
（１５）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「面接通知」という返信をもらった求職者・資格取得希望者で面接を希望する場合は、返信ボタンをクリックし、「面接受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接受諾」に１点加点し、保存する。
さらに、求職者・資格取得希望者の求人企業評価情報表１、求人企業の求職者・資格取得希望者評価情報表２に反映される。
また、面接を希望しない場合は、返信ボタンをクリックし、「面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「面接通知の返信時」、ステータスとして「面接辞退」に１点加点し、保存する。
さらに、求職者・資格取得希望者の求人企業評価情報表１、求人企業の求職者・資格取得希望者評価情報表２に反映される。
【００７７】
（１６）求人企業は、ＰＣＦを利用し、ネットワーク５を介して、インターフェースＡ１にアクセスし、ＩＤ、パスワードを入力し、ログインボタンをクリックするとマイページが開く。
Ｎ次面接をする場合、返信ボタンをクリックし、「Ｎ次面接通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「Ｎ次面接通知」に１点加点し、保存する。
さらに、求職者・資格取得希望者の求人企業評価情報表１、求人企業の求職者・資格取得希望者評価情報表２に反映される。
Ｎ次面接をしない場合で不採用の場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知」、ステータスとして「不採用」に１点加点し、保存する。
また、Ｎ次面接をしない場合で内定の場合は、内定のプロセスに進む。
さらに、求職者・資格取得希望者の求人企業評価情報表１、求人企業の求職者・資格取得希望者評価情報表２に反映される。
【００７８】
（１７）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「Ｎ次面接通知」という返信をもらった求職者・資格取得希望者で面接を希望する場合は、返信ボタンをクリックし、「Ｎ次面接受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接受諾」に１点加点し、保存する。
さらに、求職者・資格取得希望者の求人企業評価情報表１、求人企業の求職者・資格取得希望者評価情報表２に反映される。
また、面接を希望しない場合は、返信ボタンをクリックし、「Ｎ次面接辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「Ｎ次面接通知の返信時」、ステータスとして「Ｎ次面接辞退」に１点加点し、保存する。
さらに、求職者・資格取得希望者の求人企業評価情報表１、求人企業の求職者・資格取得希望者評価情報表２に反映される。
以上の手順で求職者・資格取得希望者が行う求人企業からＮ次面接の匿名承諾もらった際の求人企業への返信フローチャートを図２１に示す。
【００７９】
（１８）求人企業は、ＰＣＦを利用し、ネットワーク５を介して、インターフェースＡ１にアクセスし、ＩＤ、パスワードを入力し、ログインボタンをクリックするとマイページが開く。
内定させる場合、返信ボタンをクリックし、「内定通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「内定通知」に１点加点し、保存する。
さらに、求職者・資格取得希望者の求人企業評価情報表１、求人企業の求職者・資格取得希望者評価情報表２に反映される。
内定させない場合、返信ボタンをクリックし、「不採用」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知」、ステータスとして「不採用」に１点加点し、保存する。
さらに、求職者・資格取得希望者の求人企業評価情報表１、求人企業の求職者・資格取得希望者評価情報表２に反映される。
【００８０】
（１９）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると、利用者各種履歴データベースＤ７に接続し、求人企業から届いているメールを見る。
「内定通知」という返信をもらった求職者・資格取得希望者で入社を希望する場合は、返信ボタンをクリックし、「内定受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定受諾」に１点加点し、保存する。
さらに、求職者・資格取得希望者の求人企業評価情報表１、求人企業の求職者・資格取得希望者評価情報表２に反映される。
また、入社を希望しない場合は、返信ボタンをクリックし、「内定辞退」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「内定通知への返信時」、ステータスとして「内定辞退」に１点加点し、保存する。
さらに、求職者・資格取得希望者の求人企業評価情報表１、求人企業の求職者・資格取得希望者評価情報表２に反映される。
【００８１】
（２０）求人企業は、ＰＣＦを利用し、ネットワーク５を介して、インターフェースＡ１にアクセスし、ＩＤ、パスワードを入力し、ログインボタンをクリックするとマイページが開く。
「内定受諾」をもらった場合、返信ボタンをクリックし、「採用通知」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知」、ステータスとして「採用通知」に１点加点し、保存する。
さらに、求職者・資格取得希望者の求人企業評価情報表１、求人企業の求職者・資格取得希望者評価情報表２に反映される。
【００８２】
（２１）求職者・資格取得希望者は、ＰＣＡ〜Ｄを利用し、ネットワーク５を介して、インターフェースＡ１、あるいはインターフェースＡ２にアクセスし、入力フォームにＩＤ、パスワードを入力し、ログインボタンをクリックすると、マイページが開く。
そして、メッセージボタンをクリックすると利用者各種履歴データベースＤ７に接続し、求人企業から届いているメールを見る。
「採用通知」という返信をもらった場合は、返信ボタンをクリックし、「採用受諾」をセレクトする。
そして、送信をクリックすると利用者各種履歴制御システムＢ６が作動し、利用者各種履歴データベースＤ７に保存されると同時に、面接前と面接後の求職者・資格取得希望者と求人企業双方の評価管理制御システムＢ８が作動し、面接前と面接後の求職者・資格取得希望者と求人企業双方の評価データベースＤ１０にシーケンスとして「採用通知の返信時」、ステータスとして「採用受諾」に１点加点し、保存する。
さらに、求職者・資格取得希望者の求人企業評価情報表１、求人企業の求職者・資格取得希望者評価情報表２に反映される。そして入社となる。
以上の流れは、一例であり、ステータス、シーケンスの各項目の名称、数については、変更または増減することができる。
【産業上の利用可能性】
【００８３】
本発明のシステムは、ネットワークに解放されたインターフェースであるＷｅｂページをサーバ１だけでなく各種サイト６（Ｓ１〜Ｓ４）の多数箇所に設けたことにより、
（１）サーバ１だけにＷｅｂページを設けた場合よりも遙かに多くの求職者・資格取得希望者および求人企業が利用することができる、
（２）各種サイト６（Ｓ１〜Ｓ４）もユーザーを呼び込むコーナーを設けることができるので、Ｗｅｂの閲覧頻度が上がる、そして、
（３）求職者・資格取得希望者は、匿名で必要な情報を得ることができ、匿名で応募することができる、さらに、
（４）個人情報に関するデータベースと、求職者・資格取得希望者の履歴書、職務経歴書等との２つのデータベースを設けたから、求職者・資格取得希望者は個人情報の漏洩を心配することなく、応募、資料請求、受講申込をすることができる。
【図面の簡単な説明】
【００８４】
【図１】本発明の全体システムを示す概略図である。
【図２】求人求職・情報専門サイトのトップ画面例を示す説明図である。
【図３】トップ画面からログイン後の求人企業用マイページ画面例を示す説明図である。
【図４】本発明の求職者・資格取得希望者が求人・求職情報専門サイトに登録を行う工程を示したフロー図１である。
【図５】本発明の求職者・資格取得希望者が求人・求職情報専門サイトに登録を行う工程を示したフロー図２である。
【図６】本発明の求人企業が求人・求職情報専門サイトに募集情報等の登録を行う工程を示したフロー図１である。
【図７】本発明の求人企業が求人・求職情報専門サイトに募集情報等の登録を行う工程を示したフロー図２である。
【図８】本発明の求人企業が求人・求職情報専門サイトに募集情報等の登録を行う工程を示したフロー図３である。
【図９】本発明の求人企業が求人・求職情報専門サイトに募集情報等の登録を行う工程を示したフロー図４である。
【図１０】本発明の求職者・資格取得希望者の求人企業評価情報の出力フローチャート１である。
【図１１】本発明の求人企業の求職者・資格取得希望者評価情報の出力フローチャート２である。
【図１２】本発明の求職者・資格取得希望者の応募フローチャート１である。
【図１３】本発明の求職者・資格取得希望者の応募フローチャート２である。
【図１４】匿名の求職者・資格取得希望者に対する求人企業の応募・資料請求の返信フローチャートである。
【図１５】本発明の求職者・資格取得希望者が求人企業から匿名承諾もらった際の求人企業への返信フローチャートである。
【図１６】本発明の求人企業が匿名でＮ次面接を行う際の求人企業のフローチャートである。
【図１７】本発明の求職者・資格取得希望者が行う求人企業からＮ次面接通知をもらった際の求人企業への返信フローチャートである。
【図１８】本発明において内定を出す際の求人企業のフローチャートである。
【図１９】本発明の求職者・資格取得希望者が行う内定をもらった際の求人企業への返信フローチャートである。
【図２０】本発明において採用通知を出す際の求人企業のフローチャートである。
【図２１】本発明の求職者・資格取得希望者が行う、採用受諾をもらった際の求人企業への返信フローチャートである。
【図２２】本発明において実名の求職者・資格取得希望者への求人企業の応募・資料請求の返信フローチャートである。
【図２３】本発明の求職者・資格取得希望者が求人企業から面接承諾もらった際の求人企業への返信フローチャートである。
【図２４】本発明の求職者・資格取得希望者がＮ次面接の承諾もらった際の求人企業への返信フローチャートである。
【図２５】本発明において求職者・資格取得希望者が内定通知もらった際の求人企業への返信フローチャートである。
【図２６】本発明において採用通知を出す際の求人企業のフローチャートである。
【図２７】本発明において求人企業が行う求職者・資格取得希望者の指名フローチャート１である。
【図２８】本発明において求人企業が行う求職者・資格取得希望者の指名フローチャート２である。
【図２９】本発明において求職者・資格取得希望者が指名をもらった際の求人企業への返信フローチャートである。
【図３０】本発明において匿名でＮ次面接を行う際の求人企業のフローチャートである。
【図３１】本発明において求職者・資格取得希望者がＮ次面接をもらった際の求人企業への返信フローチャートである。
【図３２】本発明において匿名で内定を出す際の求人企業のフローチャートである。
【図３３】本発明において求職者・資格取得希望者が内定をもらった際の求人企業への返信フローチャートである。
【図３４】本発明において採用通知を出す際の求人企業のフローチャートである。
【図３５】本発明において求職者・資格取得希望者が採用受諾をもらった際の求人企業への返信フローチャートである。
【図３６】本発明において実名の求職者・資格取得希望者を指名する求人企業の応募・資料請求の返信フローチャートである。
【図３７】本発明において求職者・資格取得希望者が指名をもらった際の求人企業への返信フローチャートである。
【図３８】本発明において求人企業がＮ次面接を行う際のフローチャートである。
【図３９】本発明において内定を出す際の求人企業のフローチャートである。
【図４０】本発明において採用通知を出す際の求人企業のフローチャートである。
【図４１】本発明における求職者・資格取得希望者の求人企業評価情報の例を表１に、求人企業の求職者・資格取得希望者評価情報の例を表２に示す。
【符号の説明】
【００８５】
１    求人・求職情報専門サイトとなるサーバ
２    インターフェース
３    制御システム
４    データベース
５    ネットワーク（インターネット）
６    各種サイト
７    求職者・資格取得希望者のパソコン・携帯端末
８    求人企業のパソコン・携帯端末
Ａ１  パソコンで閲覧可能なインターフェース
Ａ２  携帯端末で閲覧可能なインターフェース
Ｂ１  求職者・資格取得希望者機能制御システム
Ｂ２  求人企業機能制御システム
Ｂ３  各種サイトへの募集情報・講座情報・セミナー情報・模擬試験情報等の提供制御システム
Ｂ４  売上制御システム
Ｂ５  応募ポイント制御システム
Ｂ６  利用者各種履歴制御システム
Ｂ７  各種サイト用ページジェネレーター
Ｂ８  面接前と面接後の求職者・資格取得希望者と求人企業双方の評価管理制御システム
Ｄ１  求職者・資格取得希望者の個人情報および個人情報に関するＩＤ、パスワード、メールアドレスデータベース
Ｄ２  求職者・資格取得希望者の履歴書、職務経歴書、希望情報およびこれらについて個人情報に関するＩＤ、パスワードと異なるＩＤ、パスワードデータベース
Ｄ３  求人企業ＩＤ、パスワード、メールアドレスデータベース
Ｄ４  求人企業情報データベース
Ｄ５  募集情報、希望情報データベース
Ｄ６  講座情報、希望情報データベース
Ｄ７  利用者各種履歴データベース
Ｄ８  売上データベース
Ｄ９  応募ポイントデータベース
Ｄ１０  面接前と面接後の求職者・資格取得希望者と求人企業双方の評価データベース
Ｅ１  サイトのシステム担当者
ＰＣＡ〜ＰＣＥ  求職者、資格取得希望者のパソコン、携帯端末等
ＰＣＦ  求人企業のパソコン、携帯端末等
ＰＣ１  サイトのシステム担当者のパソコン・携帯端末等
Ｓ１  パソコンで閲覧可能な求人企業の自社サイト
Ｓ２  携帯端末で閲覧可能な求人企業の自社サイト
Ｓ３  パソコンで閲覧可能な検索サイト、ポータルサイト、ニュースサイト、その他サイト
Ｓ４  携帯端末で閲覧可能な検索サイト、ポータルサイト、ニュースサイト、その他サイト
【図１】
2005332280.tif 000003
【図２】
2005332280.tif 000004
【図３】
2005332280.tif 000005
【図４】
2005332280.tif 000006
【図５】
2005332280.tif 000007
【図６】
2005332280.tif 000008
【図７】
2005332280.tif 000009
【図８】
2005332280.tif 000010
【図９】
2005332280.tif 000011
【図１０】
2005332280.tif 000012
【図１１】
2005332280.tif 000013
【図１２】
2005332280.tif 000014
【図１３】
2005332280.tif 000015
【図１４】
2005332280.tif 000016
【図１５】
2005332280.tif 000017
【図１６】
2005332280.tif 000018
【図１７】
2005332280.tif 000019
【図１８】
2005332280.tif 000020
【図１９】
2005332280.tif 000021
【図２０】
2005332280.tif 000022
【図２１】
2005332280.tif 000023
【図２２】
2005332280.tif 000024
【図２３】
2005332280.tif 000025
【図２４】
2005332280.tif 000026
【図２５】
2005332280.tif 000027
【図２６】
2005332280.tif 000028
【図２７】
2005332280.tif 000029
【図２８】
2005332280.tif 000030
【図２９】
2005332280.tif 000031
【図３０】
2005332280.tif 000032
【図３１】
2005332280.tif 000033
【図３２】
2005332280.tif 000034
【図３３】
2005332280.tif 000035
【図３４】
2005332280.tif 000036
【図３５】
2005332280.tif 000037
【図３６】
2005332280.tif 000038
【図３７】
2005332280.tif 000039
【図３８】
2005332280.tif 000040
【図３９】
2005332280.tif 000041
【図４０】
2005332280.tif 000042
【図４１】
2005332280.tif 000043